(57)【特許請求の範囲】
【請求項１】
映像信号を含む放送コンテンツの多重信号を生成する多重装置、前記多重信号を放送波として送信する送信装置、及び、前記放送波を受信して前記放送コンテンツに含まれる映像信号を画面表示する受信装置を含んで構成される放送システムの前記多重装置において、
前記映像信号を含む放送コンテンツに、前記放送コンテンツの地域名情報及び事業者名情報、並びに、同一の放送コンテンツを受信した前記受信装置に対して１の放送コンテンツを選択させるためのバージョン情報を多重し、前記多重信号を生成するコンテンツ生成部、を備えたことを特徴とする多重装置。
【請求項２】
請求項１に記載の多重装置において、
前記コンテンツ生成部は、
前記映像信号を含む放送コンテンツに、さらに、前記受信装置に対して前記放送波が送信される全チャンネルを再スキャンさせるためのフラグ情報を多重し、前記多重信号を生成する、ことを特徴とする多重装置。
【請求項３】
請求項１または２に記載の多重装置において、
前記送信装置とは異なる他の送信装置により、ＩＳＤＢ−Ｔ方式による地上デジタル放送の放送コンテンツの多重信号が所定チャンネルにて放送波として送信されている場合、
前記コンテンツ生成部は、
前記地上デジタル放送と同一の放送コンテンツに、前記放送コンテンツの地域名情報及び事業者名情報、並びに、同一の放送コンテンツを受信した前記受信装置に対して１の放送コンテンツを選択させるためのバージョン情報を多重し、前記多重信号を生成し、
前記コンテンツ生成部により生成された多重信号を放送波として送信する送信装置により、前記地上デジタル放送とは異なる所定のパーキングチャンネルにて前記多重信号の放送波が送信される、ことを特徴とする多重装置。
【請求項４】
請求項１または２に記載の多重装置において、
前記送信装置とは異なる他の送信装置により、ＩＳＤＢ−Ｔ方式による地上デジタル放送と同一の放送コンテンツの多重信号が、前記地上デジタル放送とは異なる所定のパーキングチャンネルにて放送波として送信されており、その後、前記地上デジタル放送が停止した場合、
前記コンテンツ生成部は、
前記所定のパーキングチャンネルにて送信される放送波の放送コンテンツと同一、かつ当該放送コンテンツよりも高画質の映像信号を含む放送コンテンツに、前記放送コンテンツの地域名情報及び事業者名情報、並びに、前記受信装置に対し、前記所定のパーキングチャンネルにて送信される放送波の放送コンテンツよりも、前記地上デジタル放送と同一のチャンネルにて送信される放送波の放送コンテンツを優先して選択させるためのバージョン情報を多重し、前記多重信号を生成し、
前記コンテンツ生成部により生成された多重信号を放送波として送信する送信装置により、前記地上デジタル放送と同一のチャンネルにて前記多重信号の放送波が送信される、ことを特徴とする多重装置。
【請求項５】
映像信号を含む放送コンテンツの多重信号を生成する多重装置、前記多重信号を放送波として送信する送信装置、及び、前記放送波を受信して前記放送コンテンツに含まれる映像信号を画面表示する受信装置を含んで構成される放送システムの前記送信装置において、
前記多重装置により生成された放送コンテンツの多重信号に、前記放送コンテンツの地域名情報及び事業者名情報、並びに、同一の放送コンテンツを受信した前記受信装置に対して１の放送コンテンツを選択させるためのバージョン情報を多重し、新たな多重信号を生成する多重部、を備え、
前記新たな多重信号を放送波として送信する、ことを特徴とする送信装置。
【請求項６】
請求項５に記載の送信装置において、
前記多重部は、
前記映像信号を含む放送コンテンツの多重信号に、さらに、前記受信装置に対して前記放送波が送信される全チャンネルを再スキャンさせるためのフラグ情報を多重し、前記新たな多重信号を生成する、ことを特徴とする送信装置。
【請求項７】
映像信号を含む放送コンテンツの多重信号を生成する多重装置、前記多重信号を放送波として送信する送信装置、及び、前記放送波を受信して前記放送コンテンツに含まれる映像信号を画面表示する受信装置を含んで構成される放送システムの前記受信装置において、
ＩＳＤＢ−Ｔ方式による地上デジタル放送の放送コンテンツの多重信号を受信し、前記多重信号から前記放送コンテンツの地域名情報及び事業者名情報を抽出する地デジ受信系統部と、
前記地上デジタル放送の放送波が送信されるチャンネルとは異なる所定のパーキングチャンネルにて、前記地上デジタル放送と同一の放送コンテンツの多重信号を受信し、前記多重信号から、前記放送コンテンツの地域名情報及び事業者名情報、並びに、当該受信装置が同一の放送コンテンツを受信した際に１の放送コンテンツを選択するためのバージョン情報を抽出するパーキング受信系統部と、
前記所定のパーキングチャンネルにて送信される放送波の放送コンテンツと同一、かつ当該放送コンテンツよりも高画質の映像信号を含む放送コンテンツの多重信号を受信し、前記多重信号から、前記放送コンテンツの地域名情報及び事業者名情報並びに前記バージョン情報を抽出する新波チャンネル受信系統部と、
前記地デジ受信系統部、前記パーキング受信系統部及び前記新波チャンネル受信系統部により前記放送コンテンツの多重信号が受信される全てのチャンネルのスキャンに伴って、受信信号が所定レベル以上のチャンネル毎に、前記地デジ受信系統部により抽出された地域名情報及び事業者名情報、前記パーキング受信系統部により抽出された地域名情報、事業者名情報及びバージョン情報、並びに、前記新波チャンネル受信系統部により抽出された地域名情報、事業者名情報及びバージョン情報を、それぞれチャンネル情報として登録するチャンネル情報登録部と、
視聴者のリモコン操作に従って、前記視聴者が所望する放送コンテンツを選択し、前記選択した放送コンテンツの映像信号を出力して画面表示させるコンテンツ選択部と、を備え、
前記コンテンツ選択部は、
前記チャンネル情報登録部から、前記視聴者のリモコン操作が示す第１のチャンネル情報を読み出すと共に、当該第１のチャンネル情報と同一の地域名情報及び事業者名情報を有する第２のチャンネル情報を読み出し、前記第１及び第２のチャンネル情報に基づいて、同一放送コンテンツが存在するか否かを判定し、
前記同一放送コンテンツが存在しないと判定した場合、前記視聴者のリモコン操作が示す第１のチャンネル情報に対応する放送コンテンツを選択し、
前記同一放送コンテンツが存在すると判定した場合、前記パーキング受信系統部が受信する前記同一放送コンテンツを、前記地デジ受信系統部が受信する前記同一放送コンテンツよりも優先して選択し、前記チャンネル情報に含まれるバージョン情報に基づいて、前記新波チャンネル受信系統部が受信する前記同一放送コンテンツを、前記パーキング受信系統部が受信する前記同一放送コンテンツよりも優先して選択する、ことを特徴とする受信装置。
【請求項８】
請求項７に記載の受信装置において、
さらに、前記新波チャンネル受信系統部により受信された多重信号のＣ／Ｎマージンを算出するＣ／Ｎマージン算出部を備え、
前記コンテンツ選択部は、
前記同一放送コンテンツが存在すると判定し、前記新波チャンネル受信系統部が受信する２以上の放送コンテンツが同一であり、当該２以上の放送コンテンツにおけるそれぞれのチャンネルの前記チャンネル情報に含まれるバージョン情報が同一である場合、前記Ｃ／Ｎマージン算出部により算出されたＣ／Ｎマージンに基づいて、前記２以上の放送コンテンツのうち１の放送コンテンツを選択する、ことを特徴とする受信装置。
【請求項９】
請求項７または８に記載の受信装置において、
前記パーキング受信系統部及び前記新波チャンネル受信系統部は、さらに、
前記多重信号から、当該受信装置が前記放送波の全チャンネルを再スキャンするためのフラグ情報を抽出し、前記フラグ情報が前記再スキャンすることを示している場合、前記全チャンネルの再スキャンを行い、前記多重信号から、受信可能な前記放送コンテンツの地域名情報及び事業者名情報並びに前記バージョン情報を抽出し、
前記チャンネル情報登録部は、
前記パーキング受信系統部及び前記新波チャンネル受信系統部により前記再スキャンにて抽出された前記放送コンテンツの地域名情報及び事業者名情報並びに前記バージョン情報を、新たな前記チャンネル情報として登録する、ことを特徴とする受信装置。
【請求項１０】
映像信号を含む放送コンテンツの多重信号を生成する請求項１の多重装置、前記多重信号を放送波として送信する送信装置、及び、前記放送波を受信して前記放送コンテンツに含まれる映像信号を画面表示する請求項７の受信装置を含んで構成されることを特徴とする放送システム。
【請求項１１】
請求項１の多重装置または請求項５の送信装置に搭載されるチップであって、
映像信号を含む放送コンテンツに、前記放送コンテンツの地域名情報及び事業者名情報、並びに、同一の放送コンテンツを受信した受信装置に対して１の放送コンテンツを選択させるためのバージョン情報を多重し、多重信号を生成する、ことを特徴とするチップ。
【請求項１２】
請求項７の受信装置に搭載されるチップであって、
受信したＩＳＤＢ−Ｔ方式による地上デジタル放送の放送コンテンツの多重信号から、前記放送コンテンツの地域名情報及び事業者名情報を抽出する地デジ受信系統部と、
前記地上デジタル放送の放送波が送信されるチャンネルとは異なる所定のパーキングチャンネルにて受信した、前記地上デジタル放送と同一の放送コンテンツの多重信号から、前記放送コンテンツの地域名情報及び事業者名情報、並びに、当該受信装置が同一の放送コンテンツを受信した際に１の放送コンテンツを選択するためのバージョン情報を抽出するパーキング受信系統部と、
受信した、前記所定のパーキングチャンネルにて送信される放送波の放送コンテンツと同一、かつ当該放送コンテンツよりも高画質の映像信号を含む放送コンテンツの多重信号から、前記放送コンテンツの地域名情報及び事業者名情報並びに前記バージョン情報を抽出する新波チャンネル受信系統部と、
前記地デジ受信系統部、前記パーキング受信系統部及び前記新波チャンネル受信系統部により前記放送コンテンツの多重信号が受信される全てのチャンネルのスキャンに伴って、受信信号が所定レベル以上のチャンネル毎に、前記地デジ受信系統部により抽出された地域名情報及び事業者名情報、前記パーキング受信系統部により抽出された地域名情報、事業者名情報及びバージョン情報、並びに、前記新波チャンネル受信系統部により抽出された地域名情報、事業者名情報及びバージョン情報を、それぞれチャンネル情報として登録するチャンネル情報登録部と、
視聴者のリモコン操作に従って、前記視聴者が所望する放送コンテンツを選択し、前記選択した放送コンテンツの映像信号を出力して画面表示させるコンテンツ選択部と、を備え、
前記コンテンツ選択部は、
前記チャンネル情報登録部から、前記視聴者のリモコン操作が示す第１のチャンネル情報を読み出すと共に、当該第１のチャンネル情報と同一の地域名情報及び事業者名情報を有する第２のチャンネル情報を読み出し、前記第１及び第２のチャンネル情報に基づいて、同一放送コンテンツが存在するか否かを判定し、
前記同一放送コンテンツが存在しないと判定した場合、前記視聴者のリモコン操作が示す第１のチャンネル情報に対応する放送コンテンツを選択し、
前記同一放送コンテンツが存在すると判定した場合、前記パーキング受信系統部が受信する前記同一放送コンテンツを、前記地デジ受信系統部が受信する前記同一放送コンテンツよりも優先して選択し、前記チャンネル情報に含まれるバージョン情報に基づいて、前記新波チャンネル受信系統部が受信する前記同一放送コンテンツを、前記パーキング受信系統部が受信する前記同一放送コンテンツよりも優先して選択する、ことを特徴とするチップ。
【発明の詳細な説明】
【技術分野】
【０００１】
本発明は、現行の地上デジタル放送から将来の次世代地上放送への移行を実現する多重装置、送信装置、受信装置、放送システム及びチップに関する。
【背景技術】
【０００２】
ＩＳＤＢ−Ｔ（Integrated Services Digital Broadcasting−Terrestrial：統合デジタル放送サービス−地上）方式による日本の地上デジタル放送が２００３年に開始された際には、事前にアナログ周波数変更対策（アナ変）が実施されていた。東京地区では、ＮＨＫ２局（ＮＨＫ総合及びＮＨＫ教育）及び民放６局（キー局の５局及び東京ＭＸ）の合計８つの送信チャンネル（１チャンネルあたり６ＭＨｚ、計４８ＭＨｚ）が確保されており、この８局が同時に地上デジタル放送を開始することができた。
【０００３】
デジタル放送視聴可能エリアに住む視聴者は、デジタル受信機を購入すれば、ＮＨＫ及び民放各局のデジタル放送の番組を視聴できることから、デジタル受信機を購入した後、アナログ放送を選局する必要はなかった。また、これに加えて、ＳＤ（Standard Definition：標準精細度）画質のアナログ放送とＨＤ（High Definition：高精細度）画質のデジタル放送とでは、画質に大きな差があることから、視聴者は、アナログ放送の番組とデジタル放送の番組とを混同して視聴することが少なかった。
【０００４】
このため、デジタル放送を受信できるにも関わらず、アナログ放送の番組を視聴する視聴者はほとんど存在せず、２０１１年のアナログ放送終了時には、その存在が問題になることはなかった。
【０００５】
〔送信側〕
まず、ＩＳＤＢ−Ｔ方式による地上デジタル放送に用いる送信側の装置について説明する。図１０は、地上デジタル放送に用いる従来の多重装置及び送信装置の構成を示すブロック図である。多重装置１００は、ＨＤ画質の映像信号等に、ＮＩＴ（Network Information Table：ネットワーク情報管理テーブル）信号を多重して放送コンテンツのＴＳ（Transport Stream：トランスポートストリーム）信号を生成するコンテンツ生成部１０１を備えている。
【０００６】
多重装置１００のコンテンツ生成部１０１は、ＨＤ画質の映像信号、音声信号、データ放送信号及びＥＰＧ（Electronic Program Guide：電子番組表）等を入力すると共に、ＮＩＴ信号を入力する。
【０００７】
コンテンツ生成部１０１は、地域名（放送コンテンツが放送される地域の名称、例えば「関東広域」）及び事業者名（放送コンテンツの放送事業を行う事業者の名称、例えば「ＮＨＫ総合」）等を含むＮＩＴ信号を、映像信号、音声信号、データ放送信号及びＥＰＧ等と多重し、放送コンテンツのＴＳ信号を生成する。コンテンツ生成部１０１は、生成したＴＳ信号を送信装置１１０に出力する
【０００８】
図１２は、ＮＩＴ信号を構成するデータを示す図である。ＮＩＴ信号は、放送事業者の地域名、地域名を識別する地域識別、事業者名を識別する地域事業者識別、事業者名、ネットワーク識別、ＴＳ識別、リモコンキー識別、サービス識別等のデータにより構成される。ネットワーク識別及びＴＳ識別と、地域名、地域識別、地域事業者識別、事業者名等とが対応しており、ネットワーク識別及びＴＳ識別の組み合わせにより、地域名、地域識別、地域事業者識別、事業者名等が一義的に特定される。
【０００９】
現行の地上デジタル放送においては、各放送事業者は、「地上デジタルテレビジョン放送送出運用規定」（非特許文献１を参照）に準拠して、それぞれが放送する放送コンテンツのＴＳ信号の中に、それぞれ固有の地域識別、地域事業者識別、ネットワーク識別、ＴＳ識別、リモコンキー識別、サービス識別等の識別データを挿入するようになっている。後述する受信装置２００は、このＴＳ信号の中の各識別データに基づいて、放送されたＴＳ信号がどの放送事業者の信号であるのかを判断することができる。
【００１０】
図１２に示すように、例えば「地域識別」が「１」の場合、「地域名」は「関東広域」であり、「地域識別」が「２４」の場合、「地域名」は「神奈川」である。また、例えば、「地域識別」が「１」の「関東広域」において、「地域事業者識別」が「０」の場合、「事業者名」は「ＮＨＫ総合」であり、「地域事業者識別」が「１」の場合、「事業者名」は「ＮＨＫ教育」である。
【００１１】
図１０に示した多重装置１００のコンテンツ生成部１０１は、図１２に示すＮＩＴ信号を入力し、映像信号、音声信号、データ放送信号及びＥＰＧ等と多重し、放送コンテンツのＴＳ信号を生成する。以下、説明の便宜上、地域識別を地域名とし、地域事業者識別を事業者名として説明する。地域識別及び地域名は地域名情報であり、地域事業者識別及び事業者名は事業者名情報である。
【００１２】
尚、コンテンツ生成部１０１は、ＮＩＴ信号からネットワーク識別及びＴＳ識別を抽出し、図１２に示すＮＩＴ信号を構成するデータが格納されたテーブルから、抽出したネットワーク識別及びＴＳ識別に対応する地域名及び事業者名等を読み出し、映像信号等に、読み出した地域名及び事業者名等を多重してＴＳ信号を生成するようにしてもよい。また、コンテンツ生成部１０１は、ＮＩＴ信号からネットワーク識別及びＴＳ識別を抽出し、映像信号等に、抽出したネットワーク識別及びＴＳ識別を多重してＴＳ信号を生成するようにしてもよい。後述する図２に示す多重装置１のコンテンツ生成部１１及び図４に示す多重装置２のコンテンツ生成部１２においても同様である。
【００１３】
図１０を参照して、送信装置１１０は、ＩＳＤＢ−Ｔ変調部１１１及びＩＳＤＢ−Ｔ送信部１１２を備えている。ＩＳＤＢ−Ｔ変調部１１１は、多重装置１００から放送コンテンツのＴＳ信号を入力し、ＴＳ信号に対し、ＩＳＤＢ−Ｔ方式に準拠した所定の変調方式にて変調処理を施し、変調信号を生成してＩＳＤＢ−Ｔ送信部１１２に出力する。
【００１４】
ＩＳＤＢ−Ｔ送信部１１２は、ＩＳＤＢ−Ｔ変調部１１１から変調信号を入力し、変調信号を所定の無線信号に変換し、無線信号の電波（放送波）を、１チャンネルの６ＭＨｚの帯域にて図示しない送信アンテナから送信する。
【００１５】
〔受信側〕
次に、ＩＳＤＢ−Ｔ方式による地上デジタル放送に用いる受信側の装置について説明する。図１１は、地上デジタル放送に用いる従来の受信装置の構成を示すブロック図である。受信装置２００は、ＩＳＤＢ−Ｔ受信部２０１、ＩＳＤＢ−Ｔ復調部２０２及びコンテンツ復調部２０３を備えている。
【００１６】
ＩＳＤＢ−Ｔ受信部２０１は、送信装置１１０から送信された電波（放送波）を図示しない受信アンテナにて受信し、所定チャンネルにおいて受信した無線信号が所定レベル以上の場合に、当該無線信号をＩＦ（Intermediate Frequency：中間周波数）信号に変換し、ＩＦ信号をＩＳＤＢ−Ｔ復調部２０２に出力する。
【００１７】
ＩＳＤＢ−Ｔ復調部２０２は、ＩＳＤＢ−Ｔ受信部２０１からＩＦ信号を入力し、ＩＦ信号に対し、送信装置１１０のＩＳＤＢ−Ｔ変調部１１１における所定の変調方式に対応した復調処理を施し、放送コンテンツのＴＳ信号を復調する。そして、ＩＳＤＢ−Ｔ復調部２０２は、復調したＴＳ信号をコンテンツ復調部２０３に出力する。
【００１８】
コンテンツ復調部２０３は、ＩＳＤＢ−Ｔ復調部２０２からＴＳ信号を入力し、多重装置１００のコンテンツ生成部１０１とは逆の処理を行い、放送コンテンツを復調する。具体的には、コンテンツ復調部２０３は、ＴＳ信号から地域名及び事業者名等を抽出する。また、コンテンツ復調部２０３は、ＴＳ信号からＨＤ画質の映像信号、音声信号、データ放送信号及びＥＰＧ等を抽出する。
【００１９】
尚、コンテンツ復調部２０３は、ＴＳ信号からネットワーク識別及びＴＳ識別を抽出し、図１２に示したＮＩＴ信号を構成するデータが格納されたテーブルから、抽出したネットワーク識別及びＴＳ識別に対応する地域名及び事業者名等を読み出すようにしてもよい。後述する図５に示す受信装置７のコンテンツ復調部２０３，２５，２６においても同様である。
【００２０】
このように、コンテンツ復調部２０３により抽出されたＨＤ画質の映像信号、音声信号、データ放送信号及びＥＰＧ等は、同様に抽出された地域名及び事業者名の放送コンテンツとして出力され、映像信号が画面表示される。視聴者は、その放送コンテンツの番組を視聴することができる。
【先行技術文献】
【非特許文献】
【００２１】
【非特許文献１】ＡＲＩＢ−ＴＲ−Ｂ１４
【発明の概要】
【発明が解決しようとする課題】
【００２２】
ところで、ＩＳＤＢ−Ｔ方式による現行の地上デジタル放送（ＨＤ画質の映像信号等による放送）に代わる新たな次世代地上放送（４Ｋまたは８Ｋ解像度の画質（４Ｋ／８Ｋ画質）の映像信号等による放送）の導入が検討されている。この新たな次世代地上放送の導入においては、前述したアナ変のような大規模な周波数変更対策を再度実施することは、経費、労力の観点から極めて困難である。
【００２３】
図１３は、現行の地上デジタル放送から新たな次世代地上放送への移行を説明する図である。図１３（１）は、現行の地上デジタル放送のチャンネル状況（現状の周波数帯域）を示し、図１３（２）は、次世代地上放送（次世代ＴＶ（Television：テレビ））の開始当初のチャンネル状況を示し、図１３（３）は、次世代ＴＶに完全移行したときのチャンネル状況を示す。
【００２４】
図１３（１）に示すように、東京地区において、アナ変のような大規模な周波数変更対策を実施しない場合、次世代ＴＶ用に確保可能な送信チャンネルは、２チャンネル程度である（空きの箇所を参照）。このため、東京のＮＨＫ及び民放の８局全てにそれぞれ１つの送信チャンネル（合計４８ＭＨｚ＝６ＭＨｚ×８（１つの送信チャンネルあたり１６．８Ｍｂｐｓ））を確保することはできない。
【００２５】
このように、次世代ＴＶの導入にあたり、東京地区では現状の空き送信チャンネルが２チャンネル程度であり、その空き周波数が極めて少ない。このため、図１３（２）に示すように、空きの送信チャンネルの１つを「次世代ＴＶパーキングチャンネル（ＣＨ）」として使用することが望ましい。この次世代ＴＶパーキングＣＨの周波数帯域は、「空き」周波数帯域を使用する。
【００２６】
次世代ＴＶパーキングＣＨとは、地上デジタル放送よりも効率の良い画像圧縮技術（ＨＥＶＣ等）を用いることにより、ＮＨＫ及び民放等の６〜８程度のＨＤ画質程度（ＨＤ画質と同一の画質、またはＨＤ画質を基準にして所定範囲内の画質）の映像信号等の放送コンテンツを共有して送信する１つの送信チャンネルをいう。これにより、視聴者は、ＮＨＫ及び民放の番組を、次世代ＴＶパーキングＣＨ及び地上デジタル放送のチャンネルのどちらのチャンネルからも視聴することができる。
【００２７】
ここで、数年の時間経過後に、ほぼ全ての視聴者が、地上デジタル放送（地デジ）ではなく、この次世代ＴＶパーキングＣＨを視聴する状態になっている場合（地デジの視聴者の数がほとんど０になっている場合）には、社会的に大きな混乱が発生することなく、地デジを終了させることができる。
【００２８】
そして、図１３（３）に示すように、地デジの周波数帯域を、新たな次世代ＴＶによる次世代ＴＶ４Ｋ／８Ｋ新波の周波数帯域としてそのまま使用することにより、地デジの周波数帯域と同じチャンネルにて、次世代ＴＶ４Ｋ／８Ｋ新波による４Ｋ/８Ｋ放送（地デジ及び次世代ＴＶパーキングＣＨの映像信号よりも高画質の放送）を開始することができる。
【００２９】
しかしながら、地デジ及び次世代ＴＶパーキングＣＨにて同じ番組が放送される、いわゆるサイマル放送が行われる図１３（２）のサイマル放送期間において、地デジの番組はＨＤ画質の品質であり、次世代ＴＶパーキングＣＨの番組はＨＤ画質程度の品質である。このため、次世代ＴＶパーキングＣＨと地デジとの間には、画質上大きな差がない。視聴者は、次世代ＴＶパーキングＣＨに対応する受信装置を用いたとしても、次世代ＴＶパーキングＣＨの番組ではなく、地デジの番組を視聴し続けてしまう可能性がある。
【００３０】
視聴者が地デジの番組を視聴し続けてしまう場合、地デジ及び次世代ＴＶパーキングＣＨにて同じ番組が放送されるサイマル放送中は、何ら問題はない。しかし、地上デジタル放送を終了させて図１３（２）から図１３（３）へ移行し、次世代ＴＶに完全に移行した状況になると、地デジの番組を視聴し続けている視聴者は、地デジの番組を視聴することができなくなる。このため、この視聴者はＴＶを全く見ることができないものと錯覚し、社会的に大きな混乱が発生する恐れがある（課題１）。
【００３１】
また、図１３（３）に示すように、次世代ＴＶに完全に移行した後には、同じ番組が、次世代ＴＶパーキングＣＨ及び次世代ＴＶ４Ｋ／８Ｋ新波のチャンネルの両方から放送される。例えば、フジテレビの放送が、ＨＤ画質程度の次世代ＴＶパーキングＣＨ及び４Ｋ／８Ｋ画質の次世代ＴＶ４Ｋ／８Ｋ新波のチャンネルの両方から放送される。
【００３２】
ここで、視聴者がＴＶのチャンネルを選局するときに、ＨＤ画質程度の次世代ＴＶパーキングＣＨではなく、より高画質な４Ｋ／８Ｋ画質の次世代ＴＶ４Ｋ／８Ｋ新波のチャンネルが優先的に選択されることが望ましい。これは、視聴者に対し、より高画質な番組を視聴させることができ、視聴者の利便性が向上するからである（課題２）。
【００３３】
さらに、前記課題２に関連して、図１３（３）において、例えば、次世代ＴＶ４Ｋ／８Ｋ新波のチャンネルが新たに開局した場合等において、視聴者に対し、手動でチャンネル再スキャン作業等を行わせる必要がないことが望ましい。この場合、受信装置が自動的に再スキャンすることができれば、視聴者の利便性が向上する。
【００３４】
そこで、本発明は前記課題を解決するためになされたものであり、その目的は、現行の地上デジタル放送から将来の新たな次世代地上放送への移行を円滑に実現可能な多重装置、送信装置、受信装置、放送システム及びチップを提供することにある。
【課題を解決するための手段】
【００３５】
前記課題を解決するために、請求項１の多重装置は、映像信号を含む放送コンテンツの多重信号を生成する多重装置、前記多重信号を放送波として送信する送信装置、及び、前記放送波を受信して前記放送コンテンツに含まれる映像信号を画面表示する受信装置を含んで構成される放送システムの前記多重装置において、前記映像信号を含む放送コンテンツに、前記放送コンテンツの地域名情報及び事業者名情報、並びに、同一の放送コンテンツを受信した前記受信装置に対して１の放送コンテンツを選択させるためのバージョン情報を多重し、前記多重信号を生成するコンテンツ生成部、を備えたことを特徴とする。
【００３６】
また、請求項２の多重装置は、請求項１に記載の多重装置において、前記コンテンツ生成部が、前記映像信号を含む放送コンテンツに、さらに、前記受信装置に対して前記放送波が送信される全チャンネルを再スキャンさせるためのフラグ情報を多重し、前記多重信号を生成する、ことを特徴とする。
【００３７】
また、請求項３の多重装置は、請求項１または２に記載の多重装置において、前記送信装置とは異なる他の送信装置により、ＩＳＤＢ−Ｔ方式による地上デジタル放送の放送コンテンツの多重信号が所定チャンネルにて放送波として送信されている場合、前記コンテンツ生成部が、前記地上デジタル放送と同一の放送コンテンツに、前記放送コンテンツの地域名情報及び事業者名情報、並びに、同一の放送コンテンツを受信した前記受信装置に対して１の放送コンテンツを選択させるためのバージョン情報を多重し、前記多重信号を生成し、前記コンテンツ生成部により生成された多重信号を放送波として送信する送信装置により、前記地上デジタル放送とは異なる所定のパーキングチャンネルにて前記多重信号の放送波が送信される、ことを特徴とする。
【００３８】
また、請求項４の多重装置は、請求項１または２に記載の多重装置において、前記送信装置とは異なる他の送信装置により、ＩＳＤＢ−Ｔ方式による地上デジタル放送と同一の放送コンテンツの多重信号が、前記地上デジタル放送とは異なる所定のパーキングチャンネルにて放送波として送信されており、その後、前記地上デジタル放送が停止した場合、前記コンテンツ生成部が、前記所定のパーキングチャンネルにて送信される放送波の放送コンテンツと同一、かつ当該放送コンテンツよりも高画質の映像信号を含む放送コンテンツに、前記放送コンテンツの地域名情報及び事業者名情報、並びに、前記受信装置に対し、前記所定のパーキングチャンネルにて送信される放送波の放送コンテンツよりも、前記地上デジタル放送と同一のチャンネルにて送信される放送波の放送コンテンツを優先して選択させるためのバージョン情報を多重し、前記多重信号を生成し、前記コンテンツ生成部により生成された多重信号を放送波として送信する送信装置により、前記地上デジタル放送と同一のチャンネルにて前記多重信号の放送波が送信される、ことを特徴とする。
【００３９】
さらに、請求項５の送信装置は、映像信号を含む放送コンテンツの多重信号を生成する多重装置、前記多重信号を放送波として送信する送信装置、及び、前記放送波を受信して前記放送コンテンツに含まれる映像信号を画面表示する受信装置を含んで構成される放送システムの前記送信装置において、前記多重装置により生成された放送コンテンツの多重信号に、前記放送コンテンツの地域名情報及び事業者名情報、並びに、同一の放送コンテンツを受信した前記受信装置に対して１の放送コンテンツを選択させるためのバージョン情報を多重し、新たな多重信号を生成する多重部、を備え、前記新たな多重信号を放送波として送信する、ことを特徴とする。
【００４０】
また、請求項６の送信装置は、請求項５に記載の送信装置において、前記多重部が、前記映像信号を含む放送コンテンツの多重信号に、さらに、前記受信装置に対して前記放送波が送信される全チャンネルを再スキャンさせるためのフラグ情報を多重し、前記新たな多重信号を生成する、ことを特徴とする。
【００４１】
さらに、請求項７の受信装置は、映像信号を含む放送コンテンツの多重信号を生成する多重装置、前記多重信号を放送波として送信する送信装置、及び、前記放送波を受信して前記放送コンテンツに含まれる映像信号を画面表示する受信装置を含んで構成される放送システムの前記受信装置において、ＩＳＤＢ−Ｔ方式による地上デジタル放送の放送コンテンツの多重信号を受信し、前記多重信号から前記放送コンテンツの地域名情報及び事業者名情報を抽出する地デジ受信系統部と、前記地上デジタル放送の放送波が送信されるチャンネルとは異なる所定のパーキングチャンネルにて、前記地上デジタル放送と同一の放送コンテンツの多重信号を受信し、前記多重信号から、前記放送コンテンツの地域名情報及び事業者名情報、並びに、当該受信装置が同一の放送コンテンツを受信した際に１の放送コンテンツを選択するためのバージョン情報を抽出するパーキング受信系統部と、前記所定のパーキングチャンネルにて送信される放送波の放送コンテンツと同一、かつ当該放送コンテンツよりも高画質の映像信号を含む放送コンテンツの多重信号を受信し、前記多重信号から、前記放送コンテンツの地域名情報及び事業者名情報並びに前記バージョン情報を抽出する新波チャンネル受信系統部と、前記地デジ受信系統部、前記パーキング受信系統部及び前記新波チャンネル受信系統部により前記放送コンテンツの多重信号が受信される全てのチャンネルのスキャンに伴って、受信信号が所定レベル以上のチャンネル毎に、前記地デジ受信系統部により抽出された地域名情報及び事業者名情報、前記パーキング受信系統部により抽出された地域名情報、事業者名情報及びバージョン情報、並びに、前記新波チャンネル受信系統部により抽出された地域名情報、事業者名情報及びバージョン情報を、それぞれチャンネル情報として登録するチャンネル情報登録部と、視聴者のリモコン操作に従って、前記視聴者が所望する放送コンテンツを選択し、前記選択した放送コンテンツの映像信号を出力して画面表示させるコンテンツ選択部と、を備え、前記コンテンツ選択部が、前記チャンネル情報登録部から、前記視聴者のリモコン操作が示す第１のチャンネル情報を読み出すと共に、当該第１のチャンネル情報と同一の地域名情報及び事業者名情報を有する第２のチャンネル情報を読み出し、前記第１及び第２のチャンネル情報に基づいて、同一放送コンテンツが存在するか否かを判定し、前記同一放送コンテンツが存在しないと判定した場合、前記視聴者のリモコン操作が示す第１のチャンネル情報に対応する放送コンテンツを選択し、前記同一放送コンテンツが存在すると判定した場合、前記パーキング受信系統部が受信する前記同一放送コンテンツを、前記地デジ受信系統部が受信する前記同一放送コンテンツよりも優先して選択し、前記チャンネル情報に含まれるバージョン情報に基づいて、前記新波チャンネル受信系統部が受信する前記同一放送コンテンツを、前記パーキング受信系統部が受信する前記同一放送コンテンツよりも優先して選択する、ことを特徴とする。
【００４２】
また、請求項８の受信装置は、請求項７に記載の受信装置において、さらに、前記新波チャンネル受信系統部により受信された多重信号のＣ／Ｎマージンを算出するＣ／Ｎマージン算出部を備え、前記コンテンツ選択部が、前記同一放送コンテンツが存在すると判定し、前記新波チャンネル受信系統部が受信する２以上の放送コンテンツが同一であり、当該２以上の放送コンテンツにおけるそれぞれのチャンネルの前記チャンネル情報に含まれるバージョン情報が同一である場合、前記Ｃ／Ｎマージン算出部により算出されたＣ／Ｎマージンに基づいて、前記２以上の放送コンテンツのうち１の放送コンテンツを選択する、ことを特徴とする。
【００４３】
また、請求項９の受信装置は、請求項７または８に記載の受信装置において、前記パーキング受信系統部及び前記新波チャンネル受信系統部が、さらに、前記多重信号から、当該受信装置が前記放送波の全チャンネルを再スキャンするためのフラグ情報を抽出し、前記フラグ情報が前記再スキャンすることを示している場合、前記全チャンネルの再スキャンを行い、前記多重信号から、受信可能な前記放送コンテンツの地域名情報及び事業者名情報並びに前記バージョン情報を抽出し、前記チャンネル情報登録部が、前記パーキング受信系統部及び前記新波チャンネル受信系統部により前記再スキャンにて抽出された前記放送コンテンツの地域名情報及び事業者名情報並びに前記バージョン情報を、新たな前記チャンネル情報として登録する、ことを特徴とする。
【００４４】
さらに、請求項１０の放送システムは、映像信号を含む放送コンテンツの多重信号を生成する請求項１の多重装置、前記多重信号を放送波として送信する送信装置、及び、前記放送波を受信して前記放送コンテンツに含まれる映像信号を画面表示する請求項７の受信装置を含んで構成されることを特徴とする。
【００４５】
さらに、請求項１１のチップは、請求項１の多重装置または請求項５の送信装置に搭載されるチップであって、映像信号を含む放送コンテンツに、前記放送コンテンツの地域名情報及び事業者名情報、並びに、同一の放送コンテンツを受信した受信装置に対して１の放送コンテンツを選択させるためのバージョン情報を多重し、多重信号を生成する、ことを特徴とする。
【００４６】
また、請求項１２のチップは、請求項７の受信装置に搭載されるチップであって、受信したＩＳＤＢ−Ｔ方式による地上デジタル放送の放送コンテンツの多重信号から、前記放送コンテンツの地域名情報及び事業者名情報を抽出する地デジ受信系統部と、前記地上デジタル放送の放送波が送信されるチャンネルとは異なる所定のパーキングチャンネルにて受信した、前記地上デジタル放送と同一の放送コンテンツの多重信号から、前記放送コンテンツの地域名情報及び事業者名情報、並びに、当該受信装置が同一の放送コンテンツを受信した際に１の放送コンテンツを選択するためのバージョン情報を抽出するパーキング受信系統部と、受信した、前記所定のパーキングチャンネルにて送信される放送波の放送コンテンツと同一、かつ当該放送コンテンツよりも高画質の映像信号を含む放送コンテンツの多重信号から、前記放送コンテンツの地域名情報及び事業者名情報並びに前記バージョン情報を抽出する新波チャンネル受信系統部と、前記地デジ受信系統部、前記パーキング受信系統部及び前記新波チャンネル受信系統部により前記放送コンテンツの多重信号が受信される全てのチャンネルのスキャンに伴って、受信信号が所定レベル以上のチャンネル毎に、前記地デジ受信系統部により抽出された地域名情報及び事業者名情報、前記パーキング受信系統部により抽出された地域名情報、事業者名情報及びバージョン情報、並びに、前記新波チャンネル受信系統部により抽出された地域名情報、事業者名情報及びバージョン情報を、それぞれチャンネル情報として登録するチャンネル情報登録部と、視聴者のリモコン操作に従って、前記視聴者が所望する放送コンテンツを選択し、前記選択した放送コンテンツの映像信号を出力して画面表示させるコンテンツ選択部と、を備え、前記コンテンツ選択部が、前記チャンネル情報登録部から、前記視聴者のリモコン操作が示す第１のチャンネル情報を読み出すと共に、当該第１のチャンネル情報と同一の地域名情報及び事業者名情報を有する第２のチャンネル情報を読み出し、前記第１及び第２のチャンネル情報に基づいて、同一放送コンテンツが存在するか否かを判定し、前記同一放送コンテンツが存在しないと判定した場合、前記視聴者のリモコン操作が示す第１のチャンネル情報に対応する放送コンテンツを選択し、前記同一放送コンテンツが存在すると判定した場合、前記パーキング受信系統部が受信する前記同一放送コンテンツを、前記地デジ受信系統部が受信する前記同一放送コンテンツよりも優先して選択し、前記チャンネル情報に含まれるバージョン情報に基づいて、前記新波チャンネル受信系統部が受信する前記同一放送コンテンツを、前記パーキング受信系統部が受信する前記同一放送コンテンツよりも優先して選択する、ことを特徴とする。
【発明の効果】
【００４７】
以上のように、本発明によれば、現行の地上デジタル放送から将来の新たな次世代地上放送への移行を円滑に実現することが可能となる。
【図面の簡単な説明】
【００４８】
【図１】（１）は、現状の送信側（現行の地上デジタル放送（地デジ）における送信側）の系統を示す図である。（２）は、次世代地上放送（次世代ＴＶ）の開始当初における送信側の系統を示す図である。（３）は、次世代ＴＶに完全移行したときの送信側の系統を示す図である。
【図２】本発明の実施形態による多重装置を含む次世代ＴＶパーキングＣＨ送信系統の構成を示すブロック図である。
【図３】コンテンツ生成部の処理を示すフローチャートである。
【図４】本発明の実施形態による多重装置を含む次世代ＴＶ４Ｋ／８Ｋ新波送信系統の構成を示すブロック図である。
【図５】本発明の実施形態による受信装置の構成を示すブロック図である。
【図６】コンテンツ比較部の構成を示すブロック図である。
【図７】チャンネル情報登録部の処理を示すフローチャートである。
【図８】コンテンツ選択部の処理を示すフローチャートである。
【図９】コンテンツ選択部による放送コンテンツ選択処理を示すフローチャートである。
【図１０】地上デジタル放送に用いる従来の多重装置及び送信装置（現行の地デジ送信系統）の構成を示すブロック図である。
【図１１】地上デジタル放送に用いる従来の受信装置の構成を示すブロック図である。
【図１２】ＮＩＴ信号を構成するデータを示す図である。
【図１３】（１）は、現行の地上デジタル放送（地デジ）におけるチャンネル状況（現状）を示す図である。（２）は、次世代地上放送（次世代ＴＶ）の開始当初のチャンネル状況を示す図である。（３）は、次世代ＴＶに完全移行したときのチャンネル状況を示す図である。
【発明を実施するための形態】
【００４９】
以下、本発明を実施するための形態について図面を用いて詳細に説明する。本発明は、現行の地上デジタル放送のチャンネルにより放送コンテンツを送信する第１の送信系統、次世代ＴＶパーキングＣＨにより放送コンテンツを送信する第２の送信系統、及び、次世代ＴＶ４Ｋ／８Ｋ新波のチャンネルにより放送コンテンツを送信する第３の送信系統において、第１の送信系統では、放送コンテンツに地域名及び事業者名を多重し、第２及び第３の送信系統では、放送コンテンツに地域名及び事業者名を多重すると共に、放送コンテンツのバージョンを示す次世代ＴＶバージョンも多重することを特徴とする。
【００５０】
また、本発明は、現行の地上デジタル放送及び将来の次世代地上放送を共用する受信装置において、地域名、事業者名及び次世代ＴＶバージョンに基づいて、放送コンテンツを選択し、特に、複数の同一の放送コンテンツについて、次世代ＴＶ４Ｋ／８Ｋ新波、次世代ＴＶパーキングＣＨ、地上デジタル放送の優先順位にて、１つの放送コンテンツを選択することを特徴とする。
【００５１】
ここで、同一の放送コンテンツとは、番組は同じであるが、映像信号の解像度等が異なる場合をいう。例えば、番組が同じであって、映像信号の一方の画質がＨＤであり、他方の画質が４Ｋ／８Ｋである場合、両放送コンテンツは同一である。
【００５２】
図１３に示したとおり、現行の地上デジタル放送から将来の新たな次世代地上放送へ移行する際に、チャンネル状況は、図１３（１）、図１３（２）及び図１３（３）の順に遷移する。図１は、現行の地上デジタル放送から将来の新たな次世代地上放送へ移行するための、図１３（１）〜（３）の各チャンネル状況を実現する送信系統を示す。
【００５３】
図１（１）は、現状の送信側（現行の地上デジタル放送における送信側）の系統を示す図であり、図１３（１）に対応している。現行の地上デジタル放送（地デジ）における送信側の系統は、第１の送信系統のみからなる。この第１の送信系統は、図１０に示した送信系統と同一であり、多重装置１００及び送信装置１１０により構成される。第１の送信系統により、地デジの電波が送信され、図１３（１）に示したチャンネル状況を実現することができる。
【００５４】
図１（２）は、次世代ＴＶの開始当初における送信側の系統を示す図であり、図１３（２）に対応している。次世代ＴＶの開始当初における送信側の系統は、図１０に示した第１の送信系統、次世代ＴＶパーキングＣＨの放送を実現する第２の送信系統、及び、次世代ＴＶ４Ｋ／８Ｋ新波の放送を実現する第３の送信系統からなる。第１の送信系統は前述のとおりである。
【００５５】
第２の送信系統は、複数の多重装置１、コンテンツ多重装置３及び送信装置５により構成される。第２の送信系統により、次世代ＴＶパーキングＣＨの電波が送信される。また、第３の送信系統は、１台または２台の多重装置２、コンテンツ多重装置４及び送信装置６により構成される。第３の送信系統により、次世代ＴＶ４Ｋ／８Ｋ新波の電波が送信される。このように、第１、第２及び第３の送信系統により、図１３（２）に示したチャンネル状況を実現することができる。
【００５６】
図１（３）は、次世代ＴＶに完全移行したときの送信側の系統を示す図であり、図１３（３）に対応している。次世代ＴＶに完全移行したときの送信側の系統は、第２及び第３の送信系統からなる。第２及び第３の送信系統は前述のとおりである。このように、第２及び第３の送信系統により、図１３（３）に示したチャンネル状況を実現することができる。
【００５７】
尚、図１０に示した地デジ送信系統の多重装置１００及び送信装置１１０、後述する図２に示す次世代ＴＶパーキングＣＨ送信系統の複数の多重装置１、コンテンツ多重装置３及び送信装置５、後述する図４に示す次世代ＴＶ４Ｋ／８Ｋ新波送信系統の多重装置２、コンテンツ多重装置４及び送信装置６、並びに、後述する図５に示す受信装置７により、放送コンテンツを送受信する放送システムが構成される。
【００５８】
〔送信側：第２の送信系統：次世代ＴＶパーキングＣＨ送信系統〕
次に、図１３（２）及び図１３（３）に示した第２の送信系統である次世代ＴＶパーキングＣＨ送信系統について詳細に説明する。図２は、本発明の実施形態による多重装置を含む次世代ＴＶパーキングＣＨ送信系統の構成を示すブロック図である。次世代ＴＶパーキングＣＨ送信系統は、前述のとおり、複数の多重装置１、コンテンツ多重装置３及び送信装置５から構成される。
【００５９】
（多重装置１）
多重装置１は、映像信号等の放送コンテンツに地域名等を多重し、放送コンテンツのＴＳ信号（多重信号）を生成するコンテンツ生成部１１を備えている。図３は、コンテンツ生成部１１の処理を示すフローチャートである。
【００６０】
コンテンツ生成部１１は、ＨＤ画質程度の映像信号、音声信号、データ放送信号及びＥＰＧ等を入力すると共に（ステップＳ３０１）、地域名、事業者名、次世代ＴＶバージョン及び次世代ＴＶプリセットフラグを入力する（ステップＳ３０２）。
【００６１】
地域名は、放送コンテンツを放送する地域の名称を示し、事業者名は、放送コンテンツの放送事業を行う事業者の名称を示す。これらの情報は、ＮＩＴ信号に含まれる情報と同様であり、詳細については図１２を参照されたい。また、これらの情報は、後述する第３の送信系統である次世代ＴＶ４Ｋ／８Ｋ新波送信系統にも用いられる。
【００６２】
これらの地域名及び事業者名は、受信側において、異なるチャンネルにて同一の放送コンテンツを受信しているか否かを判定するために用いられる。例えば、受信側は、地デジのチャンネルにて受信した放送コンテンツの地域名及び事業者名と、次世代ＴＶパーキングＣＨにて受信した放送コンテンツの地域名及び事業者名とが同一の場合、これらの２つのチャンネルにて、同一の放送コンテンツを受信していることを判定することができる。次世代ＴＶパーキングＣＨにて受信した放送コンテンツの地域名及び事業者名と、次世代ＴＶ４Ｋ／８Ｋ新波のチャンネルにて受信した放送コンテンツの地域名及び事業者名とが同一の場合も同様である。
【００６３】
次世代ＴＶバージョンは、放送コンテンツの新しさが反映された数値を示す。具体的には、数値が大きいほど、放送コンテンツがバージョンアップされていることを意味する。この次世代ＴＶバージョンは、後述する第３の送信系統である次世代ＴＶ４Ｋ／８Ｋ新波送信系統にも用いられる。
【００６４】
次世代ＴＶ４Ｋ／８Ｋ新波送信系統の放送コンテンツの次世代ＴＶバージョンは、次世代ＴＶパーキングＣＨの次世代ＴＶバージョンよりも高い値が設定される。例えば、次世代ＴＶバージョンは、ＨＤ画質程度の映像信号を送信する次世代ＴＶパーキングＣＨの放送コンテンツに対し、「１」が設定される。また、その後、同一の番組の映像信号であって、ＨＤ画質程度の映像信号が４Ｋ／８Ｋ画質の映像信号に改善された場合、４Ｋ／８Ｋ画質の映像信号を送信する次世代ＴＶ４Ｋ／８Ｋ新波の放送コンテンツに対し、「１０」が設定される。
【００６５】
また、４Ｋ／８Ｋ画質が改善された場合、後に送信される次世代ＴＶ４Ｋ／８Ｋ新波の放送コンテンツの次世代ＴＶバージョンは、既に送信されている次世代ＴＶ４Ｋ／８Ｋ新波の放送コンテンツの次世代ＴＶバージョンよりも高い値が設定される。例えば、次世代ＴＶ４Ｋ／８Ｋ新波の放送コンテンツに対し「１０」が設定された後、４Ｋ／８Ｋ画質が改善された場合、改善後の４Ｋ／８Ｋ画質の映像信号を送信する次世代ＴＶ４Ｋ／８Ｋ新波の放送コンテンツに対し、「１１」が設定される。
【００６６】
次世代ＴＶプリセットフラグは、次世代ＴＶ４Ｋ／８Ｋ新波のチャンネルが新たに開局した場合、送信チャンネルが変更された場合（チャンネルリパックが行われた場合）、次世代ＴＶがバージョンアップした場合（先に４Ｋ画質の新波のチャンネルが開局し、その後にバージョンアップして８Ｋ画質の新波のチャンネルも開局してサイマル放送が実施された場合）等において、受信側に対し、新しいチャンネルを直ちにスキャンさせるべく、全チャンネルの再スキャンを促すためのフラグである。例えば、次世代ＴＶプリセットフラグが「ＯＮ」の場合、全チャンネルの再スキャンを促すことを示し、「ＯＦＦ」の場合、全チャンネルの再スキャンを促さないことを示す。この次世代ＴＶプリセットフラグは、後述する第３の送信系統である次世代ＴＶ４Ｋ／８Ｋ新波送信系統にも用いられる。
【００６７】
コンテンツ生成部１１は、入力した映像信号、音声信号、データ放送信号及びＥＰＧ等に、入力した地域名、事業者名、次世代ＴＶバージョン及び次世代ＴＶプリセットフラグを多重し、放送コンテンツのＴＳ信号を生成する（ステップＳ３０３）。そして、コンテンツ生成部１１は、生成した放送コンテンツのＴＳ信号をコンテンツ多重装置３へ送信する（ステップＳ３０４）。
【００６８】
このように、放送コンテンツのＴＳ信号には、地域名、事業者名、次世代ＴＶバージョン及び次世代ＴＶプリセットフラグとして、例えば、「関東広域」「ＮＨＫ総合」「１」「ＯＦＦ」が多重される。
【００６９】
（コンテンツ多重装置３）
図２を参照して、コンテンツ多重装置３は、複数の多重装置１から放送コンテンツのＴＳ信号をそれぞれ受信し、それぞれのＴＳ信号を多重し、多重後のＴＳ信号を送信装置５へ送信する。次世代ＴＶパーキングＣＨでは、６〜８程度の放送コンテンツのＴＳ信号が多重され、１つのＴＶチャンネル（６ＭＨｚ）から電波（放送波）として送信される。したがって、コンテンツ多重装置３は、６〜８程度の多重装置１からＴＳ信号をそれぞれ入力し、これらを多重した１つのＴＳ信号を送信装置５へ送信する。
【００７０】
（送信装置５）
送信装置５は、次世代ＴＶ方式変調部１３及び次世代ＴＶ方式送信部１５を備えている。次世代ＴＶ方式変調部１３は、コンテンツ多重装置３から複数の放送コンテンツが多重されたＴＳ信号を受信し、ＴＳ信号に対し、次世代ＴＶ方式に準拠した所定の変調方式にて変調処理を施し、変調信号を生成して次世代ＴＶ方式送信部１５に出力する。
【００７１】
次世代ＴＶ方式送信部１５は、次世代ＴＶ方式変調部１３から変調信号を入力し、変調信号を所定の無線信号に変換し、無線信号の電波を、１チャンネルの６ＭＨｚの帯域にて図示しない送信アンテナから送信する。
【００７２】
このように、次世代ＴＶパーキングＣＨ送信系統において、多重装置１により、ＨＤ画質程度の映像信号等に、地域名、事業者名、次世代ＴＶバージョン及び次世代ＴＶプリセットフラグが多重されて放送コンテンツのＴＳ信号が生成され、コンテンツ多重装置３により、複数の放送コンテンツのＴＳ信号が多重され、送信装置５により、複数の放送コンテンツのＴＳ信号が多重された１つのＴＳ信号が、１つのＴＶチャンネル（６ＭＨｚ）から電波として送信される。
【００７３】
〔送信側：第３の送信系統：次世代ＴＶ４Ｋ／８Ｋ新波送信系統〕
次に、図１３（２）及び図１３（３）に示した第３の送信系統である次世代ＴＶ４Ｋ／８Ｋ新波送信系統について詳細に説明する。図４は、本発明の実施形態による多重装置を含む次世代ＴＶ４Ｋ／８Ｋ新波送信系統の構成を示すブロック図である。次世代ＴＶ４Ｋ／８Ｋ新波送信系統は、前述のとおり、１台または２台の多重装置２、コンテンツ多重装置４及び送信装置６から構成される。
【００７４】
（多重装置２）
多重装置２は、映像信号等に地域名等を多重し、放送コンテンツのＴＳ信号を生成するコンテンツ生成部１２を備えている。図２に示した次世代ＴＶパーキングＣＨ送信系統の多重装置１のコンテンツ生成部１１とこの多重装置２のコンテンツ生成部１２とを比較すると、コンテンツ生成部１１は、ＨＤ画質程度の映像信号を入力するのに対し、コンテンツ生成部１２は、４Ｋ／８Ｋ画質の映像信号を入力する点で相違する。それ以外の構成は同一である。
【００７５】
コンテンツ生成部１２は、４Ｋ／８Ｋ画質の映像信号、音声信号、データ放送信号及びＥＰＧ等を入力すると共に、地域名、事業者名、次世代ＴＶバージョン及び次世代ＴＶプリセットフラグを入力する。そして、コンテンツ生成部１２は、入力した映像信号等に、入力した地域名、事業者名、次世代ＴＶバージョン及び次世代ＴＶプリセットフラグを多重し、放送コンテンツのＴＳ信号を生成し、生成した放送コンテンツのＴＳ信号をコンテンツ多重装置４へ送信する。
【００７６】
放送コンテンツのＴＳ信号には、地域名、事業者名、次世代ＴＶバージョン及び次世代ＴＶプリセットフラグとして、例えば、「関東広域」「ＮＨＫ総合」「１０」「ＯＦＦ」が多重される。ここで、同一番組の放送コンテンツのＴＳ信号において、次世代ＴＶバージョンは、次世代ＴＶパーキングＣＨについて「１」が多重され、次世代ＴＶ４Ｋ／８Ｋ新波について、次世代ＴＶパーキングＣＨの放送コンテンツよりもバージョンアップされたことを示す「１０」が多重される。
【００７７】
（コンテンツ多重装置４）
コンテンツ多重装置４は、２台の多重装置２から放送コンテンツのＴＳ信号をそれぞれ受信した場合、２つのＴＳ信号を多重し、多重後のＴＳ信号を送信装置６へ送信する。また、コンテンツ多重装置４は、１台の多重装置２のみから放送コンテンツのＴＳ信号を受信した場合、受信したＴＳ信号を送信装置６へそのまま送信する。これは、次世代ＴＶ４Ｋ／８Ｋ新波では、映像信号が４Ｋ画質の場合、２つのＴＳ信号を多重することができ、映像信号が８Ｋ画質の場合、２つのＴＳ信号を多重することができないからである。
【００７８】
（送信装置６）
送信装置６は、次世代ＴＶ方式変調部１４及び次世代ＴＶ方式送信部１６を備えている。次世代ＴＶ方式変調部１４及び次世代ＴＶ方式送信部１６は、図２に示した送信装置５の次世代ＴＶ方式変調部１３及び次世代ＴＶ方式送信部１５と同一であるから、ここでは説明を省略する。
【００７９】
このように、次世代ＴＶ４Ｋ／８Ｋ新波送信系統において、多重装置２により、４Ｋ／８Ｋ画質の映像信号等に、地域名、事業者名、次世代ＴＶバージョン及び次世代ＴＶプリセットフラグが多重されて放送コンテンツのＴＳ信号が生成され、コンテンツ多重装置４により、２つの放送コンテンツのＴＳ信号の場合はこれらのＴＳ信号が多重され、送信装置６により、ＴＳ信号が、１つのＴＶチャンネル（６ＭＨｚ）から電波として送信される。
【００８０】
以上のように、本発明の実施形態による次世代ＴＶパーキングＣＨ送信系統の多重装置１によれば、コンテンツ生成部１１は、ＨＤ画質程度の映像信号等に、地域名、事業者名、次世代ＴＶバージョン及び次世代ＴＶプリセットフラグを多重し、放送コンテンツのＴＳ信号を生成するようにした。そして、コンテンツ多重装置３は、複数のＴＳ信号を多重し、送信装置５は、次世代ＴＶパーキングＣＨの電波として、１チャンネルの６ＭＨｚの帯域にて送信するようにした。
【００８１】
また、本発明の実施形態による次世代ＴＶ４Ｋ／８Ｋ新波送信系統の多重装置２によれば、コンテンツ生成部１２は、４Ｋ／８Ｋ画質の映像信号等に、地域名、事業者名、次世代ＴＶバージョン及び次世代ＴＶプリセットフラグを多重し、放送コンテンツのＴＳ信号を生成するようにした。そして、コンテンツ多重装置４は、２つのＴＳ信号を入力した場合にこれらを多重し、送信装置６は、次世代ＴＶ４Ｋ／８Ｋ新波の電波として、１チャンネルの６ＭＨｚの帯域にて送信するようにした。
【００８２】
これにより、後述する受信装置７に対し、現行の地デジの電波を送信する地デジ送信系統、次世代ＴＶパーキングＣＨ送信系統及び次世代ＴＶ４Ｋ／８Ｋ新波送信系統から送信された電波を受信させることができる。
【００８３】
また、受信装置７に対し、地域名及び事業者名に基づいて、各送信系統から送信された放送コンテンツが同一であることを判定させ、地デジの放送コンテンツと次世代ＴＶパーキングＣＨの放送コンテンツとが同一の場合、次世代ＴＶパーキングＣＨの放送コンテンツを地デジの放送コンテンツよりも優先させることができる。
【００８４】
これにより、地デジのチャンネルと同じ放送コンテンツが次世代ＴＶパーキングＣＨにて放送された場合であっても、全ての視聴者に対し、地デジの放送コンテンツではなく、次世代ＴＶパーキングＣＨの放送コンテンツの番組を視聴させることができ、社会的に大きな混乱が発生することなく、地デジによる放送を終了させることができる。つまり、前記課題１を解決することができる。
【００８５】
また、受信装置７に対し、次世代ＴＶパーキングＣＨの放送コンテンツと次世代ＴＶ４Ｋ／８Ｋ新波の放送コンテンツとが同一の場合、次世代ＴＶバージョンに基づいて、次世代ＴＶ４Ｋ／８Ｋ新波の放送コンテンツを次世代ＴＶパーキングＣＨの放送コンテンツよりも優先させることができる。
【００８６】
これにより、次世代ＴＶ４Ｋ／８Ｋ新波による放送が順次開始された場合であっても、全ての視聴者に対し、次世代ＴＶパーキングＣＨの放送コンテンツではなく、次世代ＴＶ４Ｋ／８Ｋ新波の放送コンテンツの番組を視聴させることができる。つまり、視聴者に対し、より高画質な番組を視聴させることができるから、視聴者の利便性を向上させ、前記課題２を解決することができる。
【００８７】
したがって、周波数が逼迫する地域であっても、次世代ＴＶパーキングＣＨを導入することができ、現行の地上デジタル放送から将来の新たな次世代地上放送への移行を円滑に実現することが可能となる。
【００８８】
さらに、受信装置７に対し、次世代ＴＶプリセットフラグに基づいて、全チャンネルを再スキャンさせることができる。
【００８９】
これにより、次世代ＴＶ４Ｋ／８Ｋ新波のチャンネルが新たに開局した場合、送信チャンネルが変更された場合（チャンネルリパックが行われた場合）、次世代ＴＶがバージョンアップした場合等において、受信装置７は、全チャンネルを再スキャンするから、新たな放送コンテンツを受信することができ、視聴者に対し、新たな放送コンテンツの番組を視聴させることができる。つまり、視聴者の利便性を一層向上させることができる。
【００９０】
〔受信側〕
次に、受信側の装置について説明する。受信側の装置は、第１の送信系統である地デジ送信系統、第２の送信系統である次世代ＴＶパーキングＣＨ送信系統、及び第３の送信系統である次世代ＴＶ４Ｋ／８Ｋ新波送信系統から送信された電波（放送波）を受信する。
【００９１】
図５は、本発明の実施形態による受信装置の構成を示すブロック図である。この受信装置７は、ＩＳＤＢ−Ｔ受信部２０１、ＩＳＤＢ−Ｔ復調部２０２及びコンテンツ復調部２０３から構成される第１の受信系統（地デジ受信系統）と、次世代ＴＶ方式受信部２１、次世代ＴＶ方式復調部２３及びコンテンツ復調部２５から構成される第２の受信系統（次世代ＴＶパーキングＣＨ受信系統）と、次世代ＴＶ方式受信部２２、次世代ＴＶ方式復調部２４及びコンテンツ復調部２６から構成される第３の受信系統（次世代ＴＶ４Ｋ／８Ｋ新波受信系統）とを備え、さらに、Ｃ／Ｎマージン算出部２７及びコンテンツ比較部２８を備えている。受信装置７は、地デジの放送コンテンツ及び次世代ＴＶの放送コンテンツを受信する共用の受信装置である。
【００９２】
ＩＳＤＢ−Ｔ受信部２０１、ＩＳＤＢ−Ｔ復調部２０２及びコンテンツ復調部２０３により地デジ受信系統部が構成され、次世代ＴＶ方式受信部２１、次世代ＴＶ方式復調部２３及びコンテンツ復調部２５によりパーキング受信系統部が構成され、次世代ＴＶ方式受信部２２、次世代ＴＶ方式復調部２４及びコンテンツ復調部２６により新波チャンネル受信系統部が構成される。
【００９３】
（第１の受信系統：地デジ受信系統）
まず、第１の受信系統である地デジ受信系統について説明する。この地デジ受信系統を構成するＩＳＤＢ−Ｔ受信部２０１、ＩＳＤＢ−Ｔ復調部２０２及びコンテンツ復調部２０３は、図１１に示した受信系統と同じである。
【００９４】
ＩＳＤＢ−Ｔ復調部２０２は、さらに、ＩＳＤＢ−Ｔ受信部２０１から入力したＩＦ信号に基づいて、希望信号レベル、雑音レベル、ＭＥＲ等を算出し、地デジの所定チャンネルの希望信号レベル、雑音レベル、ＭＥＲ等をＣ／Ｎマージン算出部２７に出力する。
【００９５】
コンテンツ復調部２０３は、ＩＳＤＢ−Ｔ復調部２０２からＴＳ信号を入力し、ＴＳ信号から、ＨＤ画質の映像信号等、地域名及び事業者名を抽出し、地デジの所定チャンネルの映像信号等、地域名及び事業者名をコンテンツ比較部２８に出力する。
【００９６】
（第２の受信系統：次世代ＴＶパーキングＣＨ受信系統）
次に、第２の受信系統である次世代ＴＶパーキングＣＨ受信系統について説明する。次世代ＴＶパーキングＣＨ受信系統の次世代ＴＶ方式受信部２１は、図２に示した次世代ＴＶパーキングＣＨ送信系統の送信装置５から送信された次世代ＴＶパーキングＣＨの電波を、図示しない受信アンテナにて受信する。そして、次世代ＴＶ方式受信部２１は、次世代ＴＶパーキングＣＨ（１つのチャンネル（６ＭＨｚ））における受信した無線信号が所定レベル以上の場合、当該無線信号をＩＦ信号に変換し、ＩＦ信号を次世代ＴＶ方式復調部２３に出力する。
【００９７】
次世代ＴＶ方式復調部２３は、次世代ＴＶ方式受信部２１からＩＦ信号を入力し、ＩＦ信号に対し、図２に示した送信装置５の次世代ＴＶ方式変調部１３における所定の変調方式に対応した復調処理を施し、多重された放送コンテンツのＴＳ信号を復調する。そして、次世代ＴＶ方式復調部２３は、多重された放送コンテンツのＴＳ信号をコンテンツ復調部２５に出力する。
【００９８】
次世代ＴＶ方式復調部２３は、さらに、次世代ＴＶ方式受信部２１から入力したＩＦ信号に基づいて、希望信号レベル、雑音レベル、ＭＥＲ等を算出し、次世代ＴＶパーキングＣＨの希望信号レベル、雑音レベル、ＭＥＲ等をＣ／Ｎマージン算出部２７に出力する。
【００９９】
コンテンツ復調部２５は、次世代ＴＶ方式復調部２３から多重された放送コンテンツのＴＳ信号を入力し、図２に示したコンテンツ多重装置３とは逆の処理を行い、多重された放送コンテンツのＴＳ信号を、番組毎の放送コンテンツのＴＳ信号に分離する。次世代ＴＶパーキングＣＨでは、コンテンツ多重装置３により、６〜８程度の放送コンテンツのＴＳ信号が多重されている。コンテンツ復調部２５により、６〜８程度の番組毎に、放送コンテンツのＴＳ信号が分離される。
【０１００】
コンテンツ復調部２５は、分離した放送コンテンツのＴＳ信号毎に、図２に示した多重装置１のコンテンツ生成部１１とは逆の処理を行い、放送コンテンツを復調する。具体的には、コンテンツ復調部２５は、放送コンテンツのＴＳ信号毎に、ＴＳ信号から、ＨＤ画質程度の映像信号、音声信号、データ放送信号及びＥＰＧ等、並びに、地域名、事業者名、次世代ＴＶバージョン及び次世代ＴＶプリセットフラグを抽出する。そして、コンテンツ復調部２５は、次世代ＴＶパーキングＣＨにおける番組の放送コンテンツ毎の映像信号、音声信号、データ放送信号及びＥＰＧ等、並びに、地域名、事業者名及び次世代ＴＶバージョンをコンテンツ比較部２８に出力する。
【０１０１】
コンテンツ復調部２５は、抽出した次世代ＴＶプリセットフラグに、チャンネルの再スキャンを促す情報が設定されていると判定した場合（例えば「ＯＮ」）、再スキャン指示を出力し、全チャンネルの再スキャンを行わせる。また、コンテンツ復調部２５は、次世代ＴＶプリセットフラグに、チャンネルの再スキャンを促す情報が設定されていないと判定した場合（例えば「ＯＦＦ」）、全チャンネルの再スキャンを行わせず、前述の処理を継続する。ここで、チャンネルの再スキャンは、ＴＶの全チャンネル（ＵＨＦ帯の１３ｃｈ〜５２ｃｈ等）における受信信号を確認し、新しい放送コンテンツの放送が開始されていないかを確認する処理である。
【０１０２】
（第３の受信系統：次世代ＴＶ４Ｋ／８Ｋ新波系統）
次に、第３の受信系統である次世代ＴＶ４Ｋ／８Ｋ新波受信系統について説明する。次世代ＴＶ４Ｋ／８Ｋ新波受信系統の次世代ＴＶ方式受信部２２は、図４に示した次世代ＴＶ４Ｋ／８Ｋ新波送信系統の送信装置６から送信された次世代ＴＶ４Ｋ／８Ｋ新波の電波を、図示しない受信アンテナにて受信する。そして、次世代ＴＶ方式受信部２２は、所定チャンネル（１つのチャンネル（６ＭＨｚ））における受信した無線信号が所定レベル以上の場合、当該無線信号をＩＦ信号に変換し、ＩＦ信号を次世代ＴＶ方式復調部２４に出力する。
【０１０３】
次世代ＴＶ方式復調部２４は、次世代ＴＶ方式受信部２２からＩＦ信号を入力し、ＩＦ信号に対し、図４に示した送信装置６の次世代ＴＶ方式変調部１４における所定の変調方式に対応した復調処理を施し、ＴＳ信号を復調する。そして、次世代ＴＶ方式復調部２４は、復調したＴＳ信号をコンテンツ復調部２６に出力する。
【０１０４】
次世代ＴＶ方式復調部２４は、さらに、次世代ＴＶ方式受信部２２から入力したＩＦ信号に基づいて、希望信号レベル、雑音レベル、ＭＥＲ等を算出し、次世代ＴＶ４Ｋ／８Ｋ新波の所定チャンネルの希望信号レベル、雑音レベル、ＭＥＲ等をＣ／Ｎマージン算出部２７に出力する。
【０１０５】
コンテンツ復調部２６は、次世代ＴＶ方式復調部２４からＴＳ信号を入力し、図４に示したコンテンツ多重装置４とは逆の処理を行い、ＴＳ信号が多重されている場合、入力したＴＳ信号を、２つの放送コンテンツのＴＳ信号に分離する。次世代ＴＶ４Ｋ／８Ｋ新波では、映像信号が４Ｋ画質の場合、２つのＴＳ信号が多重されている場合があるからである。また、コンテンツ復調部２６は、ＴＳ信号が多重されていない場合、分離処理を行わない。
【０１０６】
コンテンツ復調部２６は、放送コンテンツのＴＳ信号に対し、図４に示した多重装置２のコンテンツ生成部１２とは逆の処理を行い、放送コンテンツを復調する。具体的には、コンテンツ復調部２６は、ＴＳ信号から、４Ｋ／８Ｋ画質の映像信号、音声信号、データ放送信号及びＥＰＧ等、並びに、地域名、事業者名、次世代ＴＶバージョン及び次世代ＴＶプリセットフラグを抽出する。そして、コンテンツ復調部２６は、次世代ＴＶ４Ｋ／８Ｋ新波の所定チャンネルの映像信号、音声信号、データ放送信号及びＥＰＧ等、並びに、地域名、事業者名及び次世代ＴＶバージョンをコンテンツ比較部２８に出力する。
【０１０７】
コンテンツ復調部２６は、抽出した次世代ＴＶプリセットフラグに、チャンネルの再スキャンを促す情報が設定されていると判定した場合、再スキャン指示を出力し、全チャンネルの再スキャンを行わせる。また、コンテンツ復調部２６は、次世代ＴＶプリセットフラグに、チャンネルの再スキャンを促す情報が設定されていないと判定した場合、全チャンネルの再スキャンを行わせず、前述の処理を継続する。
【０１０８】
尚、受信装置７は、当該受信装置７の電源がＯＮしたとき等の所定のタイミングにて、全チャンネルをスキャンする。また、コンテンツ復調部２５，２６が、次世代ＴＶプリセットフラグに、チャンネルの再スキャンを促す情報が設定されていると判定すると、受信装置７は、全チャンネルを再スキャンする。この場合、次世代ＴＶ４Ｋ／８Ｋ新波受信系統の次世代ＴＶ方式受信部２２は、次世代ＴＶ４Ｋ／８Ｋ新波受信系統の全チャンネルについて、チャンネル毎に前述の処理を行い、次世代ＴＶ方式復調部２４及びコンテンツ復調部２６も、チャンネル毎に前述の処理を行う。同様に、次世代ＴＶパーキングＣＨ受信系統の次世代ＴＶ方式受信部２１、次世代ＴＶ方式復調部２３及びコンテンツ復調部２５も前述の処理を行う。また、地デジ受信系統のＩＳＤＢ−Ｔ受信部２０１も、地デジ受信系統の全チャンネルについて、チャンネル毎に前述の処理を行い、ＩＳＤＢ−Ｔ復調部２０２及びコンテンツ復調部２０３も、チャンネル毎に前述の処理を行う。そして、コンテンツ比較部２８は、後述するように、受信可能な地デジの各チャンネルにおける放送コンテンツの地域名、事業者名及びＣ／Ｎマージン、受信可能な次世代ＴＶパーキングＣＨの各放送コンテンツの地域名、事業者名、次世代ＴＶバージョン及びＣ／Ｎマージン、並びに、受信可能な次世代ＴＶ４Ｋ／８Ｋ新波の各チャンネルにおける放送コンテンツの地域名、事業者名、次世代ＴＶバージョン及びＣ／Ｎマージンをチャンネル情報として登録する。詳細については後述する。
【０１０９】
このように、次世代ＴＶプリセットフラグに基づいて、全チャンネルの再スキャンが行われる。例えば、次世代ＴＶ４Ｋ／８Ｋ新波のチャンネルが新たに開局した場合等において、新しいチャンネルを直ちにスキャンすることができる。視聴者は、何らの作業を行うことなく、新たな放送コンテンツを視聴することができる。
【０１１０】
（Ｃ／Ｎマージン算出部２７）
Ｃ／Ｎマージン算出部２７は、ＩＳＤＢ−Ｔ復調部２０２から、地デジの所定チャンネルの希望信号レベル、雑音レベル、ＭＥＲ等を入力し、これらのデータに基づいてＣ／Ｎマージンを算出する。そして、Ｃ／Ｎマージン算出部２７は、地デジの所定チャンネルのＣ／Ｎマージンをコンテンツ比較部２８に出力する。
【０１１１】
Ｃ／Ｎマージン算出部２７は、次世代ＴＶ方式復調部２３から、次世代ＴＶパーキングＣＨの希望信号レベル、雑音レベル、ＭＥＲ等を入力し、これらのデータに基づいてＣ／Ｎマージンを算出する。そして、Ｃ／Ｎマージン算出部２７は、次世代ＴＶパーキングＣＨのＣ／Ｎマージンをコンテンツ比較部２８に出力する。
【０１１２】
Ｃ／Ｎマージン算出部２７は、次世代ＴＶ方式復調部２４から、次世代ＴＶ４Ｋ／８Ｋ新波の所定チャンネルの希望信号レベル、雑音レベル、ＭＥＲ等を入力し、これらのデータに基づいてＣ／Ｎマージンを算出する。そして、Ｃ／Ｎマージン算出部２７は、次世代ＴＶ４Ｋ／８Ｋ新波の所定チャンネルのＣ／Ｎマージンをコンテンツ比較部２８に出力する。
【０１１３】
Ｃ／Ｎマージンは、受信信号が雑音に対してどの程度耐性があるかを示す指標である。例えば、受信電力が大きい環境または雑音が少ない環境では、Ｃ／Ｎマージンが大きくなり、受信電力が小さい環境、または受信信号のレベルは極めて低いが復調可能な状態では、Ｃ／Ｎマージンは０に近くなる。
【０１１４】
（コンテンツ比較部２８）
次に、図５に示すコンテンツ比較部２８について説明する。図６は、コンテンツ比較部２８の構成を示すブロック図である。このコンテンツ比較部２８は、チャンネル情報登録部３１及びコンテンツ選択部３２を備えている。チャンネル情報登録部３１は、受信装置７の電源がＯＮしたとき、コンテンツ復調部２５，２６により再スキャン指示が出力されたとき等における全チャンネルのスキャンに伴い、受信可能なチャンネルに関する情報（地域名、事業者名等）を登録する。コンテンツ選択部３２は、視聴者のリモコン操作に従って、視聴者が所望する放送コンテンツを選択し、当該映像信号等を出力して画面表示させる。
【０１１５】
（チャンネル情報登録部３１）
図７は、チャンネル情報登録部３１の処理を示すフローチャートである。チャンネル情報登録部３１は、全チャンネルのスキャンに伴い、ＩＳＤＢ−Ｔ受信部２０１、次世代ＴＶ方式受信部２１及び次世代ＴＶ方式受信部２２が受信した無線信号が所定レベル以上のチャンネルについて、地域名、事業者名及びＣ／Ｎマージン、または、地域名、事業者名、次世代ＴＶバージョン及びＣ／Ｎマージンをチャンネル情報として登録する（図示しないメモリに格納する）。尚、チャンネル情報登録部３１は、全チャンネルのスキャンが開始される前に、既に登録済みのチャンネル情報を削除し、全チャンネルのスキャンに伴い、新たなチャンネル情報を登録する。これにより、放送が終了したチャンネルのチャンネル情報の登録が削除され、新たに放送が開始したチャンネルのチャンネル情報が登録される。
【０１１６】
図６及び図７を参照して、チャンネル情報登録部３１は、全チャンネルのスキャンに伴い、コンテンツ復調部２０３から地デジの所定チャンネルの映像信号等、地域名及び事業者名を入力すると共に、Ｃ／Ｎマージン算出部２７から当該チャンネルのＣ／Ｎマージンを入力する（ステップＳ７０１）。そして、チャンネル情報登録部３１は、スキャンした地デジの所定チャンネルの地域名、事業者名及びＣ／Ｎマージンをチャンネル情報として登録する（ステップＳ７０２）。
【０１１７】
チャンネル情報登録部３１は、全チャンネルのスキャンに伴い、コンテンツ復調部２５から次世代ＴＶパーキングＣＨの各放送コンテンツの映像信号等、地域名、事業者名及び次世代ＴＶバージョンを入力すると共に、Ｃ／Ｎマージン算出部２７から当該チャンネルのＣ／Ｎマージンを入力する（ステップＳ７０３）。そして、チャンネル情報登録部３１は、次世代ＴＶパーキングＣＨの各放送コンテンツの地域名、事業者名、次世代ＴＶバージョン及びＣ／Ｎマージンをチャンネル情報として登録する（ステップＳ７０４）。
【０１１８】
チャンネル情報登録部３１は、全チャンネルのスキャンに伴い、コンテンツ復調部２６から次世代ＴＶ４Ｋ／８Ｋ新波の所定チャンネルの映像信号等、地域名、事業者名及び次世代ＴＶバージョンを入力すると共に、Ｃ／Ｎマージン算出部２７から当該チャンネルのＣ／Ｎマージンを入力する（ステップＳ７０５）。そして、チャンネル情報登録部３１は、スキャンした次世代ＴＶ４Ｋ／８Ｋ新波の所定チャンネルの地域名、事業者名、次世代ＴＶバージョン及びＣ／Ｎマージンをチャンネル情報として登録する（ステップＳ７０６）。
【０１１９】
チャンネル情報登録部３１は、全チャンネルのスキャンが完了した場合、処理を終了する（ステップＳ７０７）。これにより、チャンネル情報登録部３１には、受信信号が所定レベル以上のチャンネル（受信可能なチャンネル）について、地デジの各チャンネルにおける放送コンテンツの地域名、事業者名及びＣ／Ｎマージン、次世代ＴＶパーキングＣＨの各放送コンテンツの地域名、事業者名、次世代ＴＶバージョン及びＣ／Ｎマージン、並びに、次世代ＴＶ４Ｋ／８Ｋ新波の各チャンネルにおける放送コンテンツの地域名、事業者名、次世代ＴＶバージョン及びＣ／Ｎマージンがチャンネル情報として登録される。
【０１２０】
（コンテンツ選択部３２）
図８は、コンテンツ選択部３２の処理を示すフローチャートである。前述のとおり、コンテンツ選択部３２は、視聴者のリモコン操作に従って、視聴者が所望する放送コンテンツを選択し、当該映像信号等を出力して画面表示させる。この場合、コンテンツ選択部３２は、視聴者のリモコン操作に従って視聴者が所望する同一放送コンテンツが複数存在する場合（例えば、地デジの放送コンテンツと次世代ＴＶパーキングＣＨの放送コンテンツとが同一の場合、次世代ＴＶパーキングＣＨの放送コンテンツと次世代ＴＶ４Ｋ／８Ｋ新波の放送コンテンツとが同一の場合）、予め設定された優先順位の規則、次世代ＴＶバージョンまたはＣ／Ｎマージンに基づいて、１の放送コンテンツを選択し、当該映像信号等を出力して画面表示させる。
【０１２１】
コンテンツ選択部３２は、視聴者のリモコン操作に従い、リモコン操作が示すチャンネルの地域名、事業者名及びＣ／Ｎマージン（または地域名、事業者名、次世代ＴＶバージョン及びＣ／Ｎマージン）のチャンネル情報Ａを、チャンネル情報登録部３１から読み出す（ステップＳ８０１）。そして、コンテンツ選択部３２は、読み出したチャンネル情報Ａと同一の地域名及び事業者名を有するチャンネル情報Ｂを、チャンネル情報登録部３１から読み出す（ステップＳ８０２）。この場合、２つのチャンネル情報Ｂが読み出される場合もあり得る。
【０１２２】
これにより、チャンネル情報Ｂがチャンネル情報登録部３１から読み出された場合、同一放送コンテンツが存在することになり、チャンネル情報Ｂが読み出されなかった場合、同一放送コンテンツは存在しないことになる。
【０１２３】
例えば、地デジの所定チャンネルのチャンネル情報Ａに含まれる地域名が「関東広域」及び事業者名が「ＮＨＫ総合」であり、次世代ＴＶパーキングＣＨのチャンネル情報の地域名が「関東広域」及び事業者名が「ＮＨＫ総合」である場合、当該次世代ＴＶパーキングＣＨのチャンネル情報がチャンネル情報Ｂとして読み出される。この場合、地デジ及び次世代ＴＶパーキングＣＨの同一放送コンテンツが存在することになる。
【０１２４】
コンテンツ選択部３２は、同一放送コンテンツが存在するか否かを判定し（ステップＳ８０３）、同一放送コンテンツが存在しないと判定した場合（ステップＳ８０３：Ｎ）、チャンネル情報Ａの放送コンテンツを選択する（ステップＳ８０４）。つまり、コンテンツ選択部３２は、チャンネル情報Ａのチャンネルにて放送コンテンツを受信するように、対応する地デジ受信系統のＩＳＤＢ−Ｔ受信部２０１、ＩＳＤＢ−Ｔ復調部２０２及びコンテンツ復調部２０３、次世代ＴＶパーキングＣＨ受信系統の次世代ＴＶ方式受信部２１、次世代ＴＶ方式復調部２３及びコンテンツ復調部２５、並びに、次世代ＴＶ４Ｋ／８Ｋ新波受信系統の次世代ＴＶ方式受信部２２、次世代ＴＶ方式復調部２４及びコンテンツ復調部２６のうちのいずれかの受信系統（チャンネル情報Ａに対応した受信系統）を動作させる。
【０１２５】
一方、コンテンツ選択部３２は、ステップＳ８０３において、同一放送コンテンツが存在すると判定した場合（ステップＳ８０３：Ｙ）、チャンネル情報Ａ，Ｂの放送コンテンツのうちのいずれかを選択する（ステップＳ８０５）。
【０１２６】
具体的には、コンテンツ選択部３２は、以下の優先順位（優先順位の番号が小さい方が優先順位は高い）にて、放送コンテンツを選択する。ステップＳ８０５の放送コンテンツ選択処理の詳細については後述する。
優先順位１：次世代ＴＶ４Ｋ／８Ｋ新波の放送コンテンツ
優先順位２：次世代ＴＶパーキングＣＨの放送コンテンツ
優先順位３：地デジの放送コンテンツ
【０１２７】
コンテンツ選択部３２は、ステップＳ８０５の放送コンテンツ選択処理にて選択された放送コンテンツを受信するように、対応する地デジ受信系統のＩＳＤＢ−Ｔ受信部２０１、ＩＳＤＢ−Ｔ復調部２０２及びコンテンツ復調部２０３、次世代ＴＶパーキングＣＨ受信系統の次世代ＴＶ方式受信部２１、次世代ＴＶ方式復調部２３及びコンテンツ復調部２５、並びに、次世代ＴＶ４Ｋ／８Ｋ新波受信系統の次世代ＴＶ方式受信部２２、次世代ＴＶ方式復調部２４及びコンテンツ復調部２６のうちのいずれかの受信系統（チャンネル情報Ａ，Ｂの複数の放送コンテンツから選択された１つの放送コンテンツのチャンネル情報に対応した受信系統）を動作させる。
【０１２８】
コンテンツ選択部３２は、ステップＳ８０４またはステップＳ８０５から移行して、コンテンツ復調部２０３、コンテンツ復調部２５及びコンテンツ復調部２６のうちのいずれかの復調部から、選択した放送コンテンツの映像信号等を入力し、当該映像信号等を出力することで、映像信号を画面表示させる（ステップＳ８０６）。
【０１２９】
（放送コンテンツ選択処理）
図９は、コンテンツ選択部３２による放送コンテンツ選択処理（図８のステップＳ８０５）を示すフローチャートである。この放送コンテンツ選択処理は、前述したとおり、放送コンテンツが同一の場合に、次世代ＴＶ４Ｋ／８Ｋ新波（優先順位１）、次世代ＴＶパーキングＣＨ（優先順位２）、地デジ（優先順位３）の優先順位にて、放送コンテンツを選択する処理である。また、同一放送コンテンツの優先順位が同じ場合、Ｃ／Ｎマージンが高い放送コンテンツが選択される。
【０１３０】
まず、コンテンツ選択部３２は、同一放送コンテンツが地デジ及び次世代ＴＶ（次世代ＴＶパーキングＣＨまたは次世代ＴＶ４Ｋ／８Ｋ新波）の放送コンテンツであるか否かを判定する（ステップＳ９０１）。すなわち、コンテンツ選択部３２は、同一放送コンテンツについて、地デジの放送コンテンツの地域名及び事業者名と、次世代ＴＶの放送コンテンツの地域名及び事業者名とが同一であるか否かを判定する。
【０１３１】
ここで、チャンネル情報登録部３１は、チャンネル情報を登録する際に、そのチャンネル情報がどの受信系統から入力した情報であるかを判断することができる。したがって、コンテンツ選択部３２は、チャンネル情報登録部３１から読み出したチャンネル情報が、地デジのチャンネル、次世代ＴＶパーキングＣＨ及び次世代ＴＶ４Ｋ／８Ｋ新波のチャンネルのいずれかの情報であるかを判断することができる。
【０１３２】
＜地デジと次世代ＴＶの放送コンテンツが同一の場合＞
コンテンツ選択部３２は、ステップＳ９０１において、同一放送コンテンツが地デジ及び次世代ＴＶの放送コンテンツであると判定した場合（ステップＳ９０１：Ｙ）、次世代ＴＶの同一放送コンテンツが複数存在するか否かを判定する（ステップＳ９０２）。
【０１３３】
コンテンツ選択部３２は、ステップＳ９０２において、次世代ＴＶの同一放送コンテンツが複数存在しないと判定した場合（ステップＳ９０２：Ｎ）、同一放送コンテンツにおいて、地デジの放送コンテンツが１つ（または１つ以上）存在し、次世代ＴＶの放送コンテンツが１つ存在すると判断する。そして、コンテンツ選択部３２は、次世代ＴＶの放送コンテンツを地デジの放送コンテンツよりも優先することで、次世代ＴＶの放送コンテンツを選択する（ステップＳ９０３）。
【０１３４】
例えば、図１（２）及び図１３（２）に示した次世代ＴＶの開始当初の状況において、地デジのある１つのチャンネルにて放送される放送コンテンツと、次世代ＴＶパーキングＣＨにて放送される放送コンテンツとが同一の場合を想定する。コンテンツ選択部３２は、チャンネル情報登録部３１からチャンネル情報を読み出し、これらの放送コンテンツの地域名及び事業者名が同一であると判定し、地デジの放送コンテンツが１つ存在し、次世代ＴＶパーキングＣＨの放送コンテンツが１つ存在すると判断する。そして、コンテンツ選択部３２は、地デジの放送コンテンツ及び次世代ＴＶパーキングＣＨの放送コンテンツのうち、次世代ＴＶパーキングＣＨの放送コンテンツを選択する。そして、次世代ＴＶパーキングＣＨの放送コンテンツの映像信号等が出力され、画面表示される。
【０１３５】
このように、図１（２）及び図１３（２）に示した次世代地上放送（次世代ＴＶ）の開始当初の状況において、地デジの放送コンテンツと次世代ＴＶパーキングＣＨの放送コンテンツとが同一の場合、ある番組の放送コンテンツ（例えばＮＨＫの番組）は、地デジのチャンネル及び次世代ＴＶパーキングＣＨのどちらのチャンネルからも放送される。この場合、コンテンツ選択部３２において、次世代ＴＶパーキングＣＨの放送コンテンツが地デジの放送コンテンツよりも優先される。
【０１３６】
したがって、視聴者に対し、何らの操作を行わせることなく必然的に、地デジの放送コンテンツではなく、次世代ＴＶパーキングＣＨの放送コンテンツを視聴させる状態とすることができる。これにより、社会的に大きな混乱が発生することなく、地デジによる放送を終了させることができる。つまり、前記課題１を解決することができる。
【０１３７】
コンテンツ選択部３２は、ステップＳ９０１において、同一放送コンテンツが地デジ及び次世代ＴＶの放送コンテンツでないと判定した場合（ステップＳ９０１：Ｎ）、すなわち、地デジの放送コンテンツ及び次世代ＴＶの放送コンテンツの一方が存在せず、同一放送コンテンツが複数の地デジの放送コンテンツまたは複数の次世代ＴＶの放送コンテンツである場合、ステップＳ９０４へ移行する。
【０１３８】
コンテンツ選択部３２は、ステップＳ９０１から移行して、次世代ＴＶの同一放送コンテンツが複数存在するか否かを判定する（ステップＳ９０４）。コンテンツ選択部３２は、ステップＳ９０４において、次世代ＴＶの同一放送コンテンツが複数存在しないと判定した場合（ステップＳ９０４：Ｎ）、同一放送コンテンツにおいて、地デジの放送コンテンツが２つ以上存在すると判断する。そして、コンテンツ選択部３２は、２つ以上の地デジの放送コンテンツのうち１つの放送コンテンツを選択する（ステップＳ９０５）。尚、ステップＳ９０５における地デジの選択処理は本発明と直接関連しないから、ここでは説明を省略する。
【０１３９】
＜次世代ＴＶの放送コンテンツが同一の場合＞
コンテンツ選択部３２は、ステップＳ９０２またはステップＳ９０４において、次世代ＴＶの同一放送コンテンツが複数存在すると判定した場合（ステップＳ９０２：ＹまたはステップＳ９０４：Ｙ）、同一放送コンテンツについて、地デジの放送コンテンツが０、次世代ＴＶの放送コンテンツが２つ以上存在すると判断する。
【０１４０】
コンテンツ選択部３２は、同一放送コンテンツについて、チャンネル情報Ａ，Ｂに含まれる次世代ＴＶの次世代バージョンを比較し、それが最も高い次世代ＴＶの放送コンテンツを特定する（ステップＳ９０６）。コンテンツ選択部３２は、ステップＳ９０６にて特定した、次世代バージョンが最も高い次世代ＴＶの放送コンテンツが１つであるか否かを判定する（ステップＳ９０７）。
【０１４１】
コンテンツ選択部３２は、ステップＳ９０７において、次世代バージョンが最も高い次世代ＴＶの放送コンテンツが１つであると判定した場合（ステップＳ９０７：Ｙ）、当該次世代ＴＶの放送コンテンツを選択する（ステップＳ９０８）。
【０１４２】
例えば、図１（３）及び図１３（３）に示した次世代ＴＶに完全移行した状況において、次世代ＴＶパーキングＣＨにて放送される放送コンテンツと次世代ＴＶ４Ｋ／８Ｋ新波のあるチャンネルにて放送される放送コンテンツとが同一の場合を想定する。コンテンツ選択部３２は、チャンネル情報登録部３１からチャンネル情報を読み出し、これらの放送コンテンツの地域名及び事業者名が同一であると判定し、次世代ＴＶの放送コンテンツが２つ存在すると判断する。そして、コンテンツ選択部３２は、次世代ＴＶ４Ｋ／８Ｋ新波の放送コンテンツの次世代ＴＶバージョンが次世代ＴＶパーキングＣＨの放送コンテンツの次世代ＴＶバージョンよりも高いことを判定し、次世代ＴＶ４Ｋ／８Ｋ新波の放送コンテンツを選択する。そして、次世代ＴＶ４Ｋ／８Ｋ新波の放送コンテンツの映像信号等が出力され、画面表示される。
【０１４３】
ここで、次世代ＴＶバージョンには、次世代ＴＶ４Ｋ／８Ｋ新波の放送コンテンツが次世代ＴＶパーキングＣＨの放送コンテンツよりも優先順位が高くなるように、データが設定されているものとする。
【０１４４】
このように、図１（３）及び図１３（３）に示した次世代ＴＶに完全移行した状況において、次世代ＴＶパーキングＣＨの放送コンテンツと次世代ＴＶ４Ｋ／８Ｋ新波の放送コンテンツとが同一の場合、ある番組（例えばＮＨＫの番組）の放送コンテンツは、次世代ＴＶパーキングＣＨ及び次世代ＴＶ４Ｋ／８Ｋ新波のチャンネルのどちらのチャンネルからも放送される。この場合、コンテンツ選択部３２において、次世代ＴＶ４Ｋ／８Ｋ新波の放送コンテンツが次世代ＴＶパーキングＣＨの放送コンテンツよりも優先される。
【０１４５】
したがって、全ての視聴者に対し、何らの操作を行わせることなく必然的に、次世代ＴＶパーキングＣＨの放送コンテンツではなく、次世代ＴＶ４Ｋ／８Ｋ新波の放送コンテンツを視聴させる状態とすることができる。つまり、視聴者に対し、より高画質な番組を視聴させることができるから、視聴者の利便性を向上させることができる。結果として、前記課題２を解決することができる。
【０１４６】
＜次世代ＴＶの放送コンテンツが同一であり、次世代バージョンも同一の場合＞
コンテンツ選択部３２は、ステップＳ９０７において、次世代バージョンが最も高い次世代ＴＶの放送コンテンツが１つでなく複数であると判定した場合（ステップＳ９０７：Ｎ）、チャンネル情報Ａ，Ｂに含まれるＣ／Ｎマージンを比較し、それが最も高い次世代ＴＶの放送コンテンツを特定する（ステップＳ９０９）。コンテンツ選択部３２は、ステップＳ９０９にて特定した、Ｃ／Ｎマージンが最も高い次世代ＴＶの放送コンテンツが１つであるか否かを判定する（ステップＳ９１０）。
【０１４７】
コンテンツ選択部３２は、ステップＳ９１０において、Ｃ／Ｎマージンが最も高い次世代ＴＶの放送コンテンツが１つであると判定した場合（ステップＳ９１０：Ｙ）、ステップＳ９０９にて特定した次世代ＴＶの放送コンテンツを選択する（ステップＳ９１１）。一方、コンテンツ選択部３２は、ステップＳ９１０において、Ｃ／Ｎマージンが最も高い次世代ＴＶの放送コンテンツが１つでなく複数であると判定した場合（ステップＳ９１０：Ｎ）、ステップＳ９０９にて特定したＣ／Ｎマージンが同じ複数の次世代ＴＶの放送コンテンツのうち、任意の次世代ＴＶの放送コンテンツを選択する（ステップＳ９１２）。
【０１４８】
例えば、図１（３）及び図１３（３）に示した次世代ＴＶに完全移行した状況において、次世代ＴＶ４Ｋ／８Ｋ新波のある１つのチャンネルにて放送される放送コンテンツと次世代ＴＶ４Ｋ／８Ｋ新波における他のチャンネルにて放送される放送コンテンツとが同一の場合を想定する。コンテンツ選択部３２は、これらの放送コンテンツの地域名及び事業者名が同一であると判定し、次世代ＴＶの放送コンテンツが２つ存在すると判断する。例えば、スカイツリーの放送所から送信されたあるチャンネルの放送コンテンツの地域名及び事業者名と、八王子の中継放送所から送信された他のチャンネルの放送コンテンツの地域名及び事業者名とが同一であり、その両方を受信可能な場合、次世代ＴＶの同一放送コンテンツが２つ存在すると判断される。そして、コンテンツ選択部３２は、２つの放送コンテンツのうちＣ／Ｎマージンが高い放送コンテンツを選択する。そして、選択した放送コンテンツの映像信号等が出力され、画面表示される。
【０１４９】
このように、図１（３）及び図１３（３）に示した次世代ＴＶに完全移行した状況において、次世代ＴＶ４Ｋ／８Ｋ新波の２つのチャンネルにて放送される放送コンテンツが同一であって、次世代ＴＶバージョンも同一である場合、Ｃ／Ｎマージンの高い放送コンテンツが優先される。
【０１５０】
したがって、全ての視聴者に対し、何らの操作を行わせることなく必然的に、Ｃ／Ｎマージンの高い次世代ＴＶ４Ｋ／８Ｋ新波の放送コンテンツを視聴させる状態とすることができる。つまり、視聴者に対し、よりノイズの少ない番組を視聴させることができ、視聴者の利便性を向上させることができる。
【０１５１】
以上のように、本発明の実施形態による受信装置７によれば、コンテンツ比較部２８のチャンネル情報登録部３１は、受信装置７の電源がＯＮしたとき、コンテンツ復調部２５，２６により再スキャン指示が出力されたとき等における全チャンネルのスキャンに伴い、スキャンした地デジのチャンネルの地域名、事業者名及びＣ／Ｎマージンをチャンネル情報として登録し、スキャンした次世代ＴＶパーキングＣＨの各放送コンテンツの地域名、事業者名、次世代ＴＶバージョン及びＣ／Ｎマージンをチャンネル情報として登録し、スキャンした次世代ＴＶ４Ｋ／８Ｋ新波のチャンネルの地域名、事業者名、次世代ＴＶバージョン及びＣ／Ｎマージンをチャンネル情報として登録するようにした。
【０１５２】
また、コンテンツ選択部３２は、視聴者のリモコン操作に従い、リモコン操作が示すチャンネルの地域名等のチャンネル情報Ａを読み出すと共に、チャンネル情報Ａと同一の地域名及事業者名を有するチャンネル情報Ｂを読み出し、地デジの放送コンテンツと次世代ＴＶパーキングＣＨの放送コンテンツとが同一の場合、次世代ＴＶパーキングＣＨの放送コンテンツを地デジの放送コンテンツよりも優先して選択するようにした。
【０１５３】
これにより、全ての視聴者に対し、地デジの放送コンテンツではなく、次世代ＴＶパーキングＣＨの放送コンテンツを視聴させることができ、地デジの視聴者の数を０とすることができる。つまり、社会的に大きな混乱が発生することなく、地デジによる放送を終了させることができ、前記課題１を解決することができる。
【０１５４】
また、コンテンツ選択部３２は、次世代ＴＶパーキングＣＨの放送コンテンツと次世代ＴＶ４Ｋ／８Ｋ新波の放送コンテンツとが同一の場合、次世代ＴＶ４Ｋ／８Ｋ新波の放送コンテンツを次世代ＴＶパーキングＣＨの放送コンテンツよりも優先して選択するようにした。
【０１５５】
これにより、次世代ＴＶ４Ｋ／８Ｋ新波による放送が順次開始された場合であっても、全ての視聴者に対し、次世代ＴＶパーキングＣＨの放送コンテンツではなく、次世代ＴＶ４Ｋ／８Ｋ新波の放送コンテンツを視聴させることができる。つまり、視聴者に対し、より高画質な番組を視聴させることができるから、視聴者の利便性を向上させ、前記課題２を解決することができる。
【０１５６】
したがって、周波数が逼迫する地域であっても、次世代ＴＶパーキングＣＨを導入することができ、現行の地上デジタル放送から将来の新たな次世代地上放送への移行を円滑に実現することが可能となる。
【０１５７】
さらに、次世代ＴＶパーキングＣＨ受信系統のコンテンツ復調部２５または次世代ＴＶ４Ｋ／８Ｋ新波受信系統のコンテンツ復調部２６は、次世代ＴＶプリセットフラグに、チャンネルの再スキャンを促す情報が設定されていると判定した場合、再スキャン指示を出力して全チャンネルの再スキャンを行わせるようにした。
【０１５８】
これにより、次世代ＴＶ４Ｋ／８Ｋ新波のチャンネルが新たに開局した場合、送信チャンネルが変更された場合（チャンネルリパックが行われた場合）、次世代ＴＶがバージョンアップした場合等において、コンテンツ比較部２８のチャンネル情報登録部３１は、放送が終了したチャンネルのチャンネル情報の登録を削除し、新たに放送が開始したチャンネルのチャンネル情報を登録することができる。したがって、視聴者に対し、新たな放送コンテンツを視聴させることができ、視聴者の利便性を一層向上させることができる。
【０１５９】
以上、実施形態を挙げて本発明を説明したが、本発明は前記実施形態に限定されるものではなく、その技術思想を逸脱しない範囲で種々変形可能である。例えば、前記実施形態では、多重装置１のコンテンツ生成部１１及び多重装置２のコンテンツ生成部１２は、映像信号等を入力すると共に、地域名、事業者名、次世代ＴＶバージョン及び次世代ＴＶプリセットフラグを入力し、映像信号等に、地域名、事業者名、次世代ＴＶバージョン及び次世代ＴＶプリセットフラグを多重してＴＳ信号を生成するようにした。これに対し、コンテンツ生成部１１，１２は、次世代ＴＶプリセットフラグを入力しないで、映像信号等、地域名、事業者名及び次世代ＴＶバージョンを入力し、映像信号等に、地域名、事業者名及び次世代ＴＶバージョンを多重してＴＳ信号を生成するようにしてもよい。この場合、受信装置７において、全チャンネルの再スキャンが自動的に行われず、視聴者の手動操作により行われる。
【０１６０】
また、送信装置５，６は、多重装置１のコンテンツ生成部１１及び多重装置２のコンテンツ生成部１２の代わりに、映像信号等のＴＳ信号に、地域名、事業者名、次世代ＴＶバージョン及び次世代ＴＶプリセットフラグを多重するようにしてもよい。この場合、コンテンツ生成部１１，１２は、映像信号等を入力し、映像信号等を多重してＴＳ信号を生成する。送信装置５，６は、多重部（多重装置）を備え、当該多重部が、コンテンツ多重装置３，４からＴＳ信号を入力すると共に、地域名、事業者名、次世代ＴＶバージョン及び次世代ＴＶプリセットフラグを入力し、ＴＳ信号にこれらを多重し、多重したＴＳ信号を生成して次世代ＴＶ方式変調部１３，１４に出力する。尚、多重部は、次世代ＴＶプリセットフラグを入力しなくてもよい。
【０１６１】
また、前記実施形態では、多重装置１のコンテンツ生成部１１及び多重装置２のコンテンツ生成部１２は、映像信号等を多重してＴＳ信号を生成するようにした。本発明は、ＴＳ信号に限定するものではなく、コンテンツ生成部１１，１２は、ＴＳ信号の代わりに、ＴＬＶ（Type Length Value）信号等の他の多重信号を生成するようにしてもよい。
【０１６２】
また、図２における次世代ＴＶパーキングＣＨ送信系統、及び図４における次世代ＴＶ４Ｋ／８Ｋ新波送信系統は、図示しない多重情報設定部をそれぞれ備える。多重情報設定部は、コンテンツ生成部１１が入力する地域名、事業者名、次世代ＴＶバージョン及び次世代ＴＶプリセットフラグを生成し、これらの多重情報を多重装置１のコンテンツ生成部１１または多重装置２のコンテンツ生成部１２に出力する。
【０１６３】
具体的には、多重情報設定部は、多重装置１のコンテンツ生成部１１が入力する映像信号等の放送コンテンツに対応して地域名及び事業者名を設定する。また、多重情報設定部は、映像信号等の放送コンテンツに対応して次世代ＴＶバージョンを設定する。例えば、前述のとおり、次世代ＴＶバージョンは、ＨＤ画質程度の映像信号を送信する次世代ＴＶパーキングＣＨの放送コンテンツに対応して「１」が設定され、同一の放送コンテンツであって、４Ｋ／８Ｋ画質の映像信号を送信する次世代ＴＶ４Ｋ／８Ｋ新波の放送コンテンツに対応して「１０」が設定される。また、多重情報設定部は、チャンネルが新たに開局した場合等において、次世代ＴＶプリセットフラグを設定する。
【０１６４】
また、前記実施形態では、受信装置７において、コンテンツ比較部２８のチャンネル情報登録部３１は、全チャンネルのスキャンに伴い、地デジのチャンネルについて、地域名、事業者名及びＣ／Ｎマージンをチャンネル情報として登録し、次世代ＴＶパーキングＣＨ及び次世代ＴＶ４Ｋ／８Ｋ新波について、地域名、事業者名、次世代ＴＶバージョン及びＣ／Ｎマージンをチャンネル情報として登録するようにし、コンテンツ選択部３２は、視聴者のリモコン操作に従って、次世代ＴＶの同一放送コンテンツを判定した場合、次世代バージョンも同一であるとき、チャンネル情報に含まれるＣ／Ｎマージンに基づいて、いずれかの次世代ＴＶの放送コンテンツを選択するようにした。これに対し、コンテンツ選択部３２は、全チャンネルのスキャンの際に登録したＣ／Ｎマージンを用いる代わりに、視聴者のリモコン操作の際に取得したＣ／Ｎマージンを用いて、放送コンテンツを選択するようにしてもよい。この場合、コンテンツ選択部３２は、視聴者のリモコン操作の際に、次世代ＴＶ４Ｋ／８Ｋ新波受信系統を動作させ、次世代ＴＶの同一放送コンテンツのそれぞれについて、Ｃ／Ｎマージン算出部２７にＣ／Ｎマージンを算出させ、Ｃ／Ｎマージンを入力する。また、チャンネル情報登録部３１は、Ｃ／Ｎマージンをチャンネル情報の一部として登録する必要がない。
【０１６５】
また、前記実施形態において、図２に示した多重装置１のコンテンツ生成部１１の処理は、多重装置１に搭載される集積回路であるＬＳＩのチップにより実現される。また、ＬＳＩの代わりに、集積度の異なるＶＬＳＩ、ＵＬＳＩ等のチップにより実現されるようにしてもよい。さらに、ＬＳＩ等のチップに限るものではなく、専用回路または汎用プロセッサを用いるようにしてもよいし、ＦＰＧＡ（Field Programmable Gate Array）を用いるようにしてもよい。これは、図４に示した多重装置２のコンテンツ生成部１２の処理についても同様であり、図２に示した送信装置５または図４に示した送信装置６が多重部を備える場合には、当該多重部の処理についても同様である。
【０１６６】
また、図５に示した受信装置７のコンテンツ復調部２０３、コンテンツ復調部２５，２６、Ｃ／Ｎマージン算出部２７及びコンテンツ比較部２８の各構成部の処理は、受信装置７に搭載される集積回路であるＬＳＩのチップにより実現される。これらは、個別に１チップ化されていてもよいし、これらの一部または全部が１チップ化されていてもよく、集積度の異なるＶＬＳＩ、ＵＬＳＩ等のチップにより実現されるようにしてもよい。さらに、専用回路または汎用プロセッサを用いるようにしてもよいし、ＦＰＧＡを用いるようにしてもよい。
【符号の説明】
【０１６７】
１，２，１００  多重装置
３，４  コンテンツ多重装置
５，６，１１０  送信装置
７，２００  受信装置
１１，１２，１０１  コンテンツ生成部
１３，１４  次世代ＴＶ方式変調部
１５，１６  次世代ＴＶ方式送信部
２１，２２  次世代ＴＶ方式受信部
２３，２４  次世代ＴＶ方式復調部
２５，２６，２０３  コンテンツ復調部
２７  Ｃ／Ｎマージン算出部
２８  コンテンツ比較部
３１  チャンネル情報登録部
３２  コンテンツ選択部
１１１  ＩＳＤＢ−Ｔ変調部
１１２  ＩＳＤＢ−Ｔ送信部
２０１  ＩＳＤＢ−Ｔ受信部
２０２  ＩＳＤＢ−Ｔ復調部
【図１】
0006523712.tif 000002
【図２】
0006523712.tif 000003
【図３】
0006523712.tif 000004
【図４】
0006523712.tif 000005
【図５】
0006523712.tif 000006
【図６】
0006523712.tif 000007
【図７】
0006523712.tif 000008
【図８】
0006523712.tif 000009
【図９】
0006523712.tif 000010
【図１０】
0006523712.tif 000011
【図１１】
0006523712.tif 000012
【図１２】
0006523712.tif 000013
【図１３】
0006523712.tif 000014